(57)【要約】  無線通信システムにおける端末がチャネル状態情報（ｃｈａｎｎｅｌ  ｓｔａｔｅ  ｉｎｆｏｒｍａｔｉｏｎ）報告を行う方法。前記方法は、前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を受信するステップと、前記ＣＳＩ報告のためのＣＳＩ−ＲＳを受信するステップと、前記受信されたＣＳＩ−ＲＳに基づいて決定されたＣＳＩを基地局に送信するステップとを含む。前記ＣＳＩ報告のための最小要求時間は、ｉ）前記ＣＳＩ−ＲＳの最後の時点から前記ＣＳＩの送信時点までの第１最小要求時間、及びｉｉ）前記ＣＳＩ−ＲＳをトリガーリングするＤＣＩと前記ＣＳＩ−ＲＳの受信間の第２最小要求時間に基づいて設定される。【選択図】図１１
2020532922.tif 000002
【特許請求の範囲】
【請求項１】
無線通信システムにおける端末がチャネル状態情報（ｃｈａｎｎｅｌ  ｓｔａｔｅ  ｉｎｆｏｒｍａｔｉｏｎ）報告を行う方法であって、
前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を受信するステップと、
前記ＣＳＩ報告のためのＣＳＩ−ＲＳを受信するステップと、
前記受信されたＣＳＩ−ＲＳに基づいて決定されたＣＳＩを基地局に送信するステップを含み、
前記ＣＳＩ報告のための最小要求時間は、ｉ）前記ＣＳＩ−ＲＳの最後の時点から前記ＣＳＩの送信時点までの第１最小要求時間、及びｉｉ）前記ＣＳＩ−ＲＳをトリガーリングするＤＣＩと前記ＣＳＩ−ＲＳの受信間の第２最小要求時間に基づいて設定されることを特徴とする方法。
【請求項２】
前記ＣＳＩ報告に対する報告情報（ｒｅｐｏｒｔｉｎｇ  ｉｎｆｏｒｍａｔｉｏｎ）は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）識別子及びＲＳＲＰ、またはｉｉｉ）報告しない（ｎｏ  ｒｅｐｏｒｔ）のうち、いずれか一つを含むことを特徴とする請求項１に記載の方法。
【請求項３】
前記ＣＳＩ報告のための最小要求時間は、ｉ）前記ＣＳＩ−ＲＳの最後の時点から前記ＣＳＩの送信時点までの第１最小要求時間とｉｉ）前記ＣＳＩ−ＲＳをトリガーリングするＤＣＩと前記ＣＳＩ−ＲＳの受信間の第２最小要求時間の合計で設定されることを特徴とする請求項２に記載の方法。
【請求項４】
前記第１最小要求時間に対する情報は、前記端末により、端末能力情報（ＵＥ  ｃａｐａｂｉｌｉｔｙ  ｉｎｆｏｒｍａｔｉｏｎ））として前記基地局に報告されることを特徴とする請求項３に記載の方法。
【請求項５】
前記ＣＳＩ−ＲＳは、非周期的（ａｐｅｒｉｏｄｉｃ）に送信されるように設定され、
前記ＣＳＩ−ＲＳをスケジューリングするＤＣＩは、前記ＣＳＩ−ＲＳに対するトリガーリング（ｔｒｉｇｇｅｒｉｎｇ）ＤＣＩであることを特徴とする請求項３に記載の方法。
【請求項６】
前記第２最小要求時間に対する情報は、前記端末により、端末能力情報として前記基地局に報告されることを特徴とする請求項５に記載の方法。
【請求項７】
前記ＣＳＩ報告のために利用されるＣＳＩ処理ユニット（ＣＳＩ  ｐｒｏｃｅｓｓｉｎｇ  ｕｎｉｔ）の数は、１であることを特徴とする請求項２に記載の方法。
【請求項８】
無線通信システムにおけるチャネル状態情報（ｃｈａｎｎｅｌ  ｓｔａｔｅ  ｉｎｆｏｒｍａｔｉｏｎ）報告を行う端末であって、
ＲＦ（Ｒａｄｉｏ  Ｆｒｅｑｕｅｎｃｙ）ユニットと、
少なくとも一つのプロセッサと、
前記少なくとも一つのプロセッサと機能的に接続されている少なくとも一つのメモリとを含み、
前記メモリは、前記少なくとも一つのプロセッサにより行われる時、
前記ＲＦユニットを介して、前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を受信し、
前記ＲＦユニットを介して、前記ＣＳＩ報告のためのＣＳＩ−ＲＳを受信し、
前記ＲＦユニットを介して、前記受信されたＣＳＩ−ＲＳに基づいて決定されたＣＳＩを基地局に送信する動作を行う命令を格納し、
前記ＣＳＩ報告のための最小要求時間は、ｉ）前記ＣＳＩ−ＲＳの最後の時点から前記ＣＳＩの送信時点までの最小要求時間、及びｉｉ）前記ＣＳＩ−ＲＳをトリガーリングするＤＣＩと前記ＣＳＩ−ＲＳの受信間の第２最小要求時間に基づいて設定されることを特徴とする端末。
【請求項９】
前記ＣＳＩ報告に対する報告情報（ｒｅｐｏｒｔｉｎｇ  ｉｎｆｏｒｍａｔｉｏｎ）は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）識別子及びＲＳＲＰ、またはｉｉｉ）報告しない（ｎｏ  ｒｅｐｏｒｔ）のうち、いずれか一つを含むことを特徴とする請求項８に記載の端末。
【請求項１０】
前記ＣＳＩ報告のための最小要求時間は、ｉ）前記ＣＳＩ−ＲＳの最後の時点から前記ＣＳＩの送信時点までの第１最小要求時間とｉｉ）前記ＣＳＩ−ＲＳをトリガーリングするＤＣＩと前記ＣＳＩ−ＲＳの受信間の第２最小要求時間の合計で設定されることを特徴とする請求項９に記載の端末。
【請求項１１】
前記第１最小要求時間に対する情報は、前記端末により、端末能力情報（ＵＥ  ｃａｐａｂｉｌｉｔｙ  ｉｎｆｏｒｍａｔｉｏｎ））として前記基地局に報告されることを特徴とする請求項１０に記載の端末。
【請求項１２】
前記ＣＳＩ−ＲＳは、非周期的（ａｐｅｒｉｏｄｉｃ）に送信されるように設定され、
前記ＣＳＩ−ＲＳをスケジューリングするＤＣＩは、前記ＣＳＩ−ＲＳに対するトリガーリング（ｔｒｉｇｇｅｒｉｎｇ）ＤＣＩであることを特徴とする請求項１０に記載の端末。
【請求項１３】
前記第２最小要求時間に対する情報は、前記端末により、端末能力情報として前記基地局に報告されることを特徴とする請求項１２に記載の端末。
【請求項１４】
前記ＣＳＩ報告のために利用されるＣＳＩ処理ユニット（ＣＳＩ  ｐｒｏｃｅｓｓｉｎｇ  ｕｎｉｔ）の数は、１であることを特徴とする請求項９に記載の端末。
【請求項１５】
無線通信システムにおけるチャネル状態情報（ｃｈａｎｎｅｌ  ｓｔａｔｅ  ｉｎｆｏｒｍａｔｉｏｎ）を受信する基地局であって、
ＲＦ（Ｒａｄｉｏ  Ｆｒｅｑｕｅｎｃｙ）ユニットと、
少なくとも一つのプロセッサと、
前記少なくとも一つのプロセッサと機能的に接続されている少なくとも一つのメモリとを含み、
前記メモリは、前記少なくとも一つのプロセッサにより行われる時、
前記ＲＦユニットを介して、前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を送信し、
前記ＲＦユニットを介して、前記ＣＳＩ報告のためのＣＳＩ−ＲＳを送信し、
前記ＲＦユニットを介して、前記受信されたＣＳＩ−ＲＳに基づいて決定されたＣＳＩを端末から受信する動作を行う命令を格納し、
前記ＣＳＩ報告のための最小要求時間は、ｉ）前記ＣＳＩ−ＲＳの最後の時点から前記ＣＳＩの送信時点までの最小要求時間、及びｉｉ）前記ＣＳＩ−ＲＳをトリガーリングするＤＣＩと前記ＣＳＩ−ＲＳの受信間の第２最小要求時間に基づいて設定されることを特徴とする基地局。
【発明の詳細な説明】
【技術分野】
【０００１】
本発明は、一般に無線通信システムに関し、さらに詳細にチャネル状態情報（ｃｈａｎｎｅｌ  ｓｔａｔｅ  ｉｎｆｏｒｍａｔｉｏｎ）の送受信に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によって資源の不足現象が引起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり伝送率の画期的な増加、大幅増加した連結デバイス個数の収容、非常に低い端対端遅延（End-to-End Latency）、高エネルギー効率を支援できなければならない。そのために、二重連結性（Dual Connectivity）、大規模多重入出力（Massive MIMO：Massive Multiple Input Multiple Output）、全二重（In-band Full Duplex）、非直交多重接続（NOMA：Non-Orthogonal Multiple Access）、超広帯域（Super wideband）支援、端末ネットワーキング（Device Networking）など、多様な技術が研究されている。
【発明の概要】
【発明が解決しようとする課題】
【０００４】
本明細書の実施形態は、チャネル状態情報（Ｃｈａｎｎｅｌ  ｓｔａｔｅ  ｉｎｆｏｒｍａｔｉｏｎ、ＣＳＩ）を送受信するのを可能にする。
【課題を解決するための手段】
【０００５】
本発明の一様相は、無線通信システムにおける端末がチャネル状態情報（ｃｈａｎｎｅｌ  ｓｔａｔｅ  ｉｎｆｏｒｍａｔｉｏｎ）報告を行う方法を含み、前記方法は、前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を受信するステップを含む。また、前記ＣＳＩ報告を行う方法は、前記ＣＳＩ報告のためのＣＳＩ−ＲＳを受信するステップを含む。また、前記ＣＳＩ報告を行う方法は、前記受信されたＣＳＩ−ＲＳに基づいて決定されたＣＳＩを基地局に送信するステップを含む。また、前記ＣＳＩ報告を行う方法において、前記ＣＳＩ報告のための最小要求時間は、ｉ）前記ＣＳＩ−ＲＳの最後の時点から前記ＣＳＩの送信時点までの第１最小要求時間、及びｉｉ）前記ＣＳＩ−ＲＳをトリガーリングするＤＣＩと前記ＣＳＩ−ＲＳの受信間の第２最小要求時間に基づいて設定される。該当様相（ａｓｐｅｃｔ）の他の実施形態は、前記方法の動作を行うように設定された各々の、一つ以上のコンピュータ格納装置に記録されたコンピュータプログラム、装置、及びコンピュータシステムを含む。
【０００６】
実施形態は、次の構成の一つまたはそれ以上を含むことができる。前記方法において、前記ＣＳＩ報告に対する報告情報（ｒｅｐｏｒｔｉｎｇ  ｉｎｆｏｒｍａｔｉｏｎ）は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）識別子及びＲＳＲＰ、またはｉｉｉ）報告しない（ｎｏ  ｒｅｐｏｒｔ）のうち、いずれか一つを含む。前記方法において、前記ＣＳＩ報告のための最小要求時間は、ｉ）前記ＣＳＩ−ＲＳの最後の時点から前記ＣＳＩの送信時点までの第１最小要求時間とｉｉ）前記ＣＳＩ−ＲＳをトリガーリングするＤＣＩと前記ＣＳＩ−ＲＳの受信間の第２最小要求時間の合計で設定される。前記方法において、前記ＣＳＩ−ＲＳの最後の時点から前記ＣＳＩの送信時点までの第１最小要求時間に対する情報は、前記端末により、端末能力情報（ＵＥ  ｃａｐａｂｉｌｉｔｙ  ｉｎｆｏｒｍａｔｉｏｎ））として前記基地局に報告される。前記方法において、前記ＣＳＩ−ＲＳは、非周期的（ａｐｅｒｉｏｄｉｃ）に送信されるように設定され、前記ＣＳＩ−ＲＳをスケジューリングするＤＣＩは、前記ＣＳＩ−ＲＳに対するトリガーリング（ｔｒｉｇｇｅｒｉｎｇ）ＤＣＩである。前記方法において、前記第２最小要求時間に対する情報は、前記端末により、端末能力情報として前記基地局に報告される。 前記方法において、前記ＣＳＩ報告のために利用されるＣＳＩ処理ユニット（ＣＳＩ  ｐｒｏｃｅｓｓｉｎｇ  ｕｎｉｔ）の数は、１である。説明された技術の具現は、ハードウェア、方法またはプロセス、またはコンピュータ−接続可能媒体（ｃｏｍｐｕｔｅｒ−ａｃｃｅｓｓｉｂｌｅ  ｍｅｄｉｕｍ）上のコンピュータソフトウェアを含むことができる。
【０００７】
本明細書の他の様相（ａｓｐｅｃｔ）は、無線通信システムにおけるチャネル状態情報（ｃｈａｎｎｅｌ  ｓｔａｔｅ  ｉｎｆｏｒｍａｔｉｏｎ）報告を行うように設定された端末を含む。前記端末は、ＲＦ（Ｒａｄｉｏ  Ｆｒｅｑｕｅｎｃｙ）ユニットを含む。また、前記端末は、少なくとも一つのプロセッサと、前記少なくとも一つのプロセッサと機能的に接続されている少なくとも一つのメモリとを含み、前記メモリは、前記少なくとも一つのプロセッサにより行われる時、前記ＲＦユニットを介して、前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を受信する動作を行う命令を格納する。また、前記命令は、前記ＲＦユニットを介して、前記ＣＳＩ報告のためのＣＳＩ−ＲＳを受信する動作を行う命令を含む。前記命令は、前記ＲＦユニットを介して、前記受信されたＣＳＩ−ＲＳに基づいて決定されたＣＳＩを基地局に送信する動作を行う命令を含む。 前記ＣＳＩ報告のための最小要求時間は、ｉ）前記ＣＳＩ−ＲＳの最後の時点から前記ＣＳＩの送信時点までの最小要求時間、及びｉｉ）前記ＣＳＩ−ＲＳをトリガーリングするＤＣＩと前記ＣＳＩ−ＲＳの受信間の第２最小要求時間に基づいて設定される。該当様相（ａｓｐｅｃｔ）の他の実施形態は、前記方法の動作を行うように設定された各々の、一つ以上のコンピュータ格納装置に記録されたコンピュータプログラム、装置、及びコンピュータシステムを含む。
【０００８】
実施形態は、次の構成の一つまたはそれ以上を含むことができる。前記端末において、前記ＣＳＩ報告に対する報告情報 （ｒｅｐｏｒｔｉｎｇ  ｉｎｆｏｒｍａｔｉｏｎ）は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）識別子及びＲＳＲＰ、またはｉｉｉ）報告しない（ｎｏ  ｒｅｐｏｒｔ）のうち、いずれか一つを含む。また、前記端末において、前記ＣＳＩ報告のための最小要求時間は、ｉ）前記ＣＳＩ−ＲＳの最後の時点から前記ＣＳＩの送信時点までの第１最小要求時間とｉｉ）前記ＣＳＩ−ＲＳをトリガーリングするＤＣＩと前記ＣＳＩ−ＲＳの受信間の第２最小要求時間の合計で設定される。また、前記端末において、前記ＣＳＩ−ＲＳの最後の時点から前記ＣＳＩの送信時点までの第１最小要求時間に対する情報は、前記端末により、端末能力情報（ＵＥ  ｃａｐａｂｉｌｉｔｙ  ｉｎｆｏｒｍａｔｉｏｎ））として前記基地局に報告される。また、前記端末において、前記ＣＳＩ−ＲＳは、非周期的（ａｐｅｒｉｏｄｉｃ）に送信されるように設定され、前記ＣＳＩ−ＲＳをスケジューリングするＤＣＩは、前記ＣＳＩ−ＲＳに対するトリガーリング（ｔｒｉｇｇｅｒｉｎｇ）ＤＣＩである。また、前記端末において、前記第２最小要求時間に対する情報は、前記端末により、端末能力情報として前記基地局に報告される。また、前記端末において、前記ＣＳＩ報告のために利用されるＣＳＩ処理ユニット（ＣＳＩ  ｐｒｏｃｅｓｓｉｎｇ  ｕｎｉｔ）の数は、１である。
【０００９】
本明細書の他の様相（ａｓｐｅｃｔ）は、無線通信システムにおけるチャネル状態情報（ｃｈａｎｎｅｌ  ｓｔａｔｅ  ｉｎｆｏｒｍａｔｉｏｎ）を受信するように設定された基地局を含む。前記基地局は、ＲＦ（Ｒａｄｉｏ  Ｆｒｅｑｕｅｎｃｙ）ユニットを含む。また、前記基地局は、少なくとも一つのプロセッサと、前記少なくとも一つのプロセッサと機能的に接続されている少なくとも一つのメモリとを含み、前記メモリは、前記少なくとも一つのプロセッサにより行われる時、前記ＲＦユニットを介して、前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を送信する動作を行う命令を格納する。また、前記命令は、前記ＲＦユニットを介して、前記ＣＳＩ報告のためのＣＳＩ−ＲＳを送信する動作を行う命令を含む。また、前記命令は、前記ＲＦユニットを介して、前記受信されたＣＳＩ−ＲＳに基づいて決定されたＣＳＩを端末から受信する動作を行う命令を含む。前記ＣＳＩ報告のための最小要求時間は、ｉ）前記ＣＳＩ−ＲＳの最後の時点から前記ＣＳＩの送信時点までの最小要求時間、及びｉｉ）前記ＣＳＩ−ＲＳをトリガーリングするＤＣＩと前記ＣＳＩ−ＲＳの受信間の第２最小要求時間に基づいて設定される。該当様相（ａｓｐｅｃｔ）の他の実施形態は、前記方法の動作を行うように設定された各々の、一つ以上のコンピュータ格納装置に記録されたコンピュータプログラム、装置、及びコンピュータシステムを含む。
【００１０】
本明細書全般にかけて説明された構成の全てまたは一部は、一つ以上の非−一時的機械読み取り可能格納媒体に格納され、一つ以上の処理装置で実行可能な命令語を含むコンピュータプログラム製品として具現されることができる。本明細書全体にかけて説明された構成の全てまたは一部は、言及された機能を具現するための実行可能命令を格納するための一つ以上の処理装置及びメモリを含むことができる装置、方法または電子システムとして具現されることができる。
【００１１】
本明細書の内容の主題（ｓｕｂｊｅｃｔ  ｍａｔｔｅｒ）に対する一つ以上の実施形態の細部事項は、添付図面及び以下の説明において説明される。主題の他の構成、様相及び長所は、詳細な説明、図面及び請求の範囲から明白になるはずである。
【発明の効果】
【００１２】
本明細書の実施形態によれば、チャネル状態情報（Ｃｈａｎｎｅｌ  ｓｔａｔｅ  ｉｎｆｏｒｍａｔｉｏｎ、ＣＳＩ）報告において、端末が支援するＣＳＩ処理ユニットの数が基地局により設定及び／または指示されたＣＳＩ報告の数より少ない場合にも、效率的にＣＳＩ算出及びＣＳＩ報告を行うことができるという効果がある。
【００１３】
また、本発明の実施形態によれば、一般的なＣＳＩ報告だけでなく、ビーム管理及び／またはビーム報告用途として利用されるＬ１−ＲＳＲＰ報告の場合にも、効率的なｚ値設定及びＣＳＩ処理ユニット占有が行われうるという効果がある。
【００１４】
本発明で得られる効果は、以上で言及した効果に制限されず、言及しないまた他の効果は以下の記載から、本発明が属する技術分野で通常の知識を有する者に明確に理解される。
【図面の簡単な説明】
【００１５】
【図１】本明細書の一部実施形態によるＮＲの全体的なシステム構造の一例を示す。
【図２】本明細書の一部実施形態による無線通信システムにおいてアップリンクフレームとダウンリンクフレームとの間の関係の一例を示す。
【図３】ＮＲシステムにおけるフレーム構造の一例を示す。
【図４】本明細書の一部実施形態による無線通信システムにおいて支援する資源グリッド（ｒｅｓｏｕｒｃｅ  ｇｒｉｄ）の一例を示す。
【図５】本明細書の一部実施形態によるアンテナポート及びヌーマロロジー別資源グリッドの例を上げて示す。
【図６】本明細書の一部実施形態によるｓｅｌｆ−ｃｏｎｔａｉｎｅｄ構造の一例を示す。
【図７】本明細書の一部実施形態によるチャネル状態情報（ｃｈａｎｎｅｌ  ｓｔａｔｅ  ｉｎｆｏｒｍａｔｉｏｎ）報告を行う端末の動作フローチャートの一例を示す。
【図８】本明細書の一部実施形態によるチャネル状態情報（ｃｈａｎｎｅｌ  ｓｔａｔｅ  ｉｎｆｏｒｍａｔｉｏｎ）報告を受信する基地局の動作フローチャートの一例を示す。
【図９】無線通信システムにおけるＬ１−ＲＳＲＰ報告動作の一例を示す。
【図１０】無線通信システムにおけるＬ１−ＲＳＲＰ報告動作の他の例を示す。
【図１１】本明細書の一部実施形態によるチャネル状態情報（Ｃｈａｎｎｅｌ  ｓｔａｔｅ  ｉｎｆｏｒｍａｔｉｏｎ）を報告する端末の動作フローチャートの一例を示す。
【図１２】本明細書の一部実施形態によるチャネル状態情報（Ｃｈａｎｎｅｌ  ｓｔａｔｅ  ｉｎｆｏｒｍａｔｉｏｎ）を受信する基地局の動作フローチャートの一例を示す。
【図１３】本明細書の一部実施形態による無線通信装置を示す。
【図１４】本明細書の一部実施形態による無線通信装置のブロック構成図のさらに他の例示である。
【発明を実施するための形態】
【００１６】
本明細書の実施形態は、一般に無線通信システムにおけるチャネル状態情報（ＣＳＩ）を送受信することを可能にする。
【００１７】
一部実施形態によれば、端末がＣＳＩを算出するにおいて、基地局により設定及び／または指示された一つ以上のＣＳＩ報告を該当端末が支援する（すなわち、該当端末に具現された）一つ以上のＣＳＩ処理ユニット（ＣＳＩ  ｐｒｏｃｅｓｓｉｎｇ  ｕｎｉｔ）に割り当て及び／または配分する方法のための技術が開示される。
【００１８】
また、一部実施形態によれば、ビーム管理及び／またはビーム報告用途のＣＳＩ報告すなわち、Ｌ１−ＲＳＲＰ報告を行う場合に適用されることができる、端末のＣＳＩ報告と関連した最小要求時間（例：ｚ値）及び／またはＣＳＩ処理ユニットの割り当て及び／または配分方法のための技術が開示される。
【００１９】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２０】
幾つかの場合、本発明の概念が曖昧になることを避けるために公知の構造及び装置は省略されるか、または各構造及び装置の核心機能を中心としたブロック図形式に図示できる。
【００２１】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。基地局は、第１通信装置と、端末は、第２通信装置と表現されることもできる。基地局（ＢＳ：Ｂａｓｅ Ｓｔａｔｉｏｎ）は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ｇＮＢ（Ｎｅｘｔ  Ｇｅｎｅｒａｔｉｏｎ  ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ネットワーク（５Ｇネットワーク）、ＡＩシステム、ＲＳＵ（ｒｏａｄ  ｓｉｄｅ  ｕｎｉｔ）、ロボットなどの用語により代替されることができる。また、端末（Ｔｅｒｍｉｎａｌ）は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置、車両（ｖｅｈｉｃｌｅ）、ロボット（ｒｏｂｏｔ）、ＡＩモジュールなどの用語に代替されることができる。
【００２２】
以下の技術は、ＣＤＭＡ、ＦＤＭＡ、ＴＤＭＡ、ＯＦＤＭＡ、ＳＣ−ＦＤＭＡなどの多様な無線接続システムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術で具現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などの無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であって、ＬＴＥ−Ａ（ＡＤＶＡＮＣＥＤ）／ＬＴＥ−Ａ  ＰＲＯは、３ＧＰＰ  ＬＴＥの進化したバージョンである。３ＧＰＰ  ＮＲ（ＮＥＷ  ＲＡＤＩＯ  ＯＲ  ＮＥＷ  ＲＡＤＩＯ  ＡＣＣＥＳＳ  ＴＥＣＨＮＯＬＯＧＹ）は、３ＧＰＰ  ＬＴＥ／ＬＴＥ−Ａ／ＬＴＥ−Ａ  ＰＲＯの進化したバージョンである。
【００２３】
説明を明確にするために、３ＧＰＰ通信システム（例、ＬＴＥ−Ａ、ＮＲ）を基盤に説明するが、本発明の技術的思想がこれに制限されるものではない。ＬＴＥは、３ＧＰＰ  ＴＳ  ３６．ｘｘｘ  Ｒｅｌｅａｓｅ  ８以後の技術を意味する。細部的に、３ＧＰＰ  ＴＳ  ３６．ｘｘｘ  Ｒｅｌｅａｓｅ  １０以後のＬＴＥ技術は、ＬＴＥ−Ａと称され、３ＧＰＰ  ＴＳ  ３６．ｘｘｘ  Ｒｅｌｅａｓｅ  １３以後のＬＴＥ技術は、ＬＴＥ−Ａ  ｐｒｏと称される。３ＧＰＰ  ＮＲは、ＴＳ  ３８．ｘｘｘ  Ｒｅｌｅａｓｅ  １５以後の技術を意味する。ＬＴＥ／ＮＲは、３ＧＰＰシステムと称されうる。「ｘｘｘ」は、標準文書細部番号を意味する。ＬＴＥ／ＮＲは、３ＧＰＰシステムと称されることができる。本発明の説明に使用された背景技術、用語、略語などに関しては、本発明の以前に公開された標準文書に記載された事項を参照できる。例えば、次の文書を参照できる。
【００２４】
３ＧＰＰ  ＬＴＥ
【００２５】
−３６．２１１：Ｐｈｙｓｉｃａｌ  ｃｈａｎｎｅｌｓ  ａｎｄ  ｍｏｄｕｌａｔｉｏｎ
【００２６】
−３６．２１２：Ｍｕｌｔｉｐｌｅｘｉｎｇ  ａｎｄ  ｃｈａｎｎｅｌ  ｃｏｄｉｎｇ
【００２７】
−３６．２１３：Ｐｈｙｓｉｃａｌ  ｌａｙｅｒ  ｐｒｏｃｅｄｕｒｅｓ
【００２８】
−３６．３００：Ｏｖｅｒａｌｌ  ｄｅｓｃｒｉｐｔｉｏｎ
【００２９】
−３６．３３１：Ｒａｄｉｏ  Ｒｅｓｏｕｒｃｅ  Ｃｏｎｔｒｏｌ（ＲＲＣ）
【００３０】
３ＧＰＰ  ＮＲ
【００３１】
−３８．２１１：Ｐｈｙｓｉｃａｌ  ｃｈａｎｎｅｌｓ  ａｎｄ  ｍｏｄｕｌａｔｉｏｎ
【００３２】
−３８．２１２：Ｍｕｌｔｉｐｌｅｘｉｎｇ  ａｎｄ  ｃｈａｎｎｅｌ  ｃｏｄｉｎｇ
【００３３】
−３８．２１３：Ｐｈｙｓｉｃａｌ  ｌａｙｅｒ  ｐｒｏｃｅｄｕｒｅｓ  ｆｏｒ  ｃｏｎｔｒｏｌ
【００３４】
−３８．２１４：Ｐｈｙｓｉｃａｌ  ｌａｙｅｒ  ｐｒｏｃｅｄｕｒｅｓ  ｆｏｒ  ｄａｔａ
【００３５】
−３８．３００：ＮＲ  ａｎｄ  ＮＧ−ＲＡＮ  Ｏｖｅｒａｌｌ  Ｄｅｓｃｒｉｐｔｉｏｎ
【００３６】
−３６．３３１：Ｒａｄｉｏ  Ｒｅｓｏｕｒｃｅ  Ｃｏｎｔｒｏｌ（ＲＲＣ）  ｐｒｏｔｏｃｏｌ  ｓｐｅｃｉｆｉｃａｔｉｏｎ
【００３７】
さらに多くの通信機器がさらに大きな通信容量を要求するようにつれて、従来のｒａｄｉｏ  ａｃｃｅｓｓ  ｔｅｃｈｎｏｌｏｇｙに比べて向上したｍｏｂｉｌｅ  ｂｒｏａｄｂａｎｄ通信に対する必要性が台頭しつつある。また、多数の機器及び事物を接続して、いつ、どこででも多様なサービスを提供するｍａｓｓｉｖｅ  ＭＴＣ（Ｍａｃｈｉｎｅ  Ｔｙｐｅ  Ｃｏｍｍｕｎｉｃａｔｉｏｎｓ）もやはり、次世代通信で考慮する主なイッシューの一つである。それだけでなく、ｒｅｌｉａｂｉｌｉｔｙ及びｌａｔｅｎｃｙに敏感なサービス／端末を考慮した通信システムデザインが論議されている。このようにｅＭＢＢ（ｅｎｈａｎｃｅｄ  ｍｏｂｉｌｅ  ｂｒｏａｄｂａｎｄ  ｃｏｍｍｕｎｉｃａｔｉｏｎ）、Ｍｍｔｃ（ｍａｓｓｉｖｅ  ＭＴＣ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ｒａｄｉｏ  ａｃｃｅｓｓ  ｔｅｃｈｎｏｌｏｇｙの導入が論議されており、本明細書では、便宜上該当ｔｅｃｈｎｏｌｏｇｙをＮＲと呼ぶ。ＮＲは、５Ｇ無線接続技術（ｒａｄｉｏ  ａｃｃｅｓｓ  ｔｅｃｈｎｏｌｏｇｙ、ＲＡＴ）の一例を示した表現である。
【００３８】
ＮＲを含む新しいＲＡＴシステムは、ＯＦＤＭ送信方式またはこれと類似の送信方式を使用する。新しいＲＡＴシステムは、ＬＴＥのＯＦＤＭパラメータとは異なるＯＦＤＭパラメータにしたがうことができる。または、新しいＲＡＴシステムは、従来のＬＴＥ／ＬＴＥ−Ａのヌーマロロジー（ｎｕｍｅｒｏｌｏｇｙ）をそのまましたがうか、またはより大きなシステム帯域幅（例、１００ＭＨｚ）を有することができる。または、一つのセルが複数のヌーマロロジーを支援することもできる。すなわち、互いに異なるヌーマロロジーで動作するする端末が一つのセル内で共存できる。
【００３９】
ヌーマロロジー（ｎｕｍｅｒｏｌｏｇｙ）は、周波数領域で一つのｓｕｂｃａｒｒｉｅｒ  ｓｐａｃｉｎｇに対応する。Ｒｅｆｅｒｅｎｃｅ  ｓｕｂｃａｒｒｉｅｒ  ｓｐａｃｉｎｇを整数Ｎでｓｃａｌｉｎｇすることで、相異なったヌーマロロジーが定義されうる。
【００４０】
５Ｇの３通りの主な要求事項領域は、１）改善したモバイル広帯域（Ｅｎｈａｎｃｅｄ  Ｍｏｂｉｌｅ  Ｂｒｏａｄｂａｎｄ、ｅＭＢＢ）領域、（２）多量のマシンタイプ通信（ｍａｓｓｉｖｅ  Ｍａｃｈｉｎｅ  Ｔｙｐｅ  Ｃｏｍｍｕｎｉｃａｔｉｏｎ、ｍＭＴＣ）領域及び（３）超−信頼及び低遅延通信（Ｕｌｔｒａ−ｒｅｌｉａｂｌｅ  ａｎｄ  Ｌｏｗ  Ｌａｔｅｎｃｙ  Ｃｏｍｍｕｎｉｃａｔｉｏｎｓ、ＵＲＬＬＣ）領域を含む。
【００４１】
一部の使用例（Ｕｓｅ  Ｃａｓｅ）は、最適化のために多数の領域が要求されることができ、他の使用例は、ただ一つの核心性能指標（Ｋｅｙ  Ｐｅｒｆｏｒｍａｎｃｅ  Ｉｎｄｉｃａｔｏｒ、ＫＰＩ）だけにフォーカシングされうる。５Ｇは、このような多様な使用例を柔軟でかつ信頼できる方法で支援することである。
【００４２】
ｅＭＢＢは、基本的なモバイルインターネットアクセスをはるかに凌駕するようにし、豊富な両方向作業、クラウドまたは増強現実においてメディア及びエンターテイメントアプリケーションをカバーする。データは、５Ｇの核心動力の一つであり、５Ｇ時代で初めて専用音声サービスを見ることができない。５Ｇにおいて、音声は、単純に通信システムにより提供されるデータ接続を使用して応用プログラムとして処理されることが期待される。増加されたトラフィック量（ｖｏｌｕｍｅ）のための主な原因は、コンテンツ大きさの増加及び高いデータ送信率を要求するアプリケーション数の増加である。ストリーミングサービス（オーディオ及びビデオ）、対話形ビデオ及びモバイルインターネット接続は、より多くの装置がインターネットに接続するほど、より広く使用されるはずである。このような多くの応用プログラムは、ユーザにリアルタイム情報及びお知らせをプッシュするために、常にオンになっている接続性が必要である。クラウドストレージ及びアプリケーションは、モバイル通信プラットホームで急速に増加しており、これは、業務及びエンターテイメント全部に適用されることができる。そして、クラウドストレージは、アップリンクデータ送信率の伸びを牽引する特別な使用例である。５Ｇは、またクラウドの遠隔業務にも使用され、触覚インターフェースが使用される時に優秀なユーザ経験を維持するようにはるかに低いエンド−ツ−エンド（ｅｎｄ−ｔｏ−ｅｎｄ）遅延を要求する。エンターテイメント、例えば、クラウドゲーム及びビデオストリーミングは、モバイル広帯域能力に対する要求を増加させるさらに他の核心要素である。エンターテイメントは、汽車、車及び飛行機のような高い移動性環境を含むどんな所でもスマートフォン及びタブレットにおいて必須的である。さらに他の使用例は、エンターテイメントのための増強現実及び情報検索である。ここで、増強現実は、非常に低い遅延と瞬間的なデータ量を必要とする。
【００４３】
また、最も多く予想される５Ｇ使用例の一つは、あらゆる分野において埋め込みセンサを円滑に接続できる機能、すなわち、ｍＭＴＣに関することである。２０２０年まで潜在的なＩｏＴ装置は、２０４億個に達すると予測される。産業ＩｏＴは、５Ｇがスマート都市、資産追跡（ａｓｓｅｔ  ｔｒａｃｋｉｎｇ）、スマートユーティリティ、農業及びセキュリティーインフラを可能にする主な役割を行う領域の一つである。
【００４４】
ＵＲＬＬＣは、主なインフラの遠隔制御及び自体−駆動車両（ｓｅｌｆ−ｄｒｉｖｉｎｇ  ｖｅｈｉｃｌｅ）のような超信頼／利用可能な遅延が少ないリンクを介して産業を変化させる新しいサービスを含む。信頼性と遅延の数準は、スマートグリッド制御、産業自動化、ロボット工学、ドローン制御及び調整に必須である。
【００４５】
次に、多数の使用例についてさらに具体的に説明する。
【００４６】
５Ｇは、秒当たりの数百メガビットから秒当たりのギガビットで評価されるストリームを提供する手段としてＦＴＴＨ（ｆｉｂｅｒ−ｔｏ−ｔｈｅ−ｈｏｍｅ）及びケーブル基盤広帯域（または、ＤＯＣＳＩＳ）を補完できる。このような速い速度は、仮像現実と増強現実だけでなく、４Ｋ以上（６Ｋ、８Ｋ及びそれ以上）の解像度でＴＶを伝達するのに要求される。ＶＲ（Ｖｉｒｔｕａｌ  Ｒｅａｌｉｔｙ）及びＡＲ（Ａｕｇｍｅｎｔｅｄ  Ｒｅａｌｉｔｙ）アプリケーションは、ほとんど没入型（ｉｍｍｅｒｓｉｖｅ）スポーツ競技を含む。特定応用プログラムは、特別なネットワーク設定が要求されることができる。例えば、ＶＲゲームの場合、ゲーム会社が遅延を最小化するためにコアサーバをネットワークオペレーターのエッジネットワークサーバと統合しなければならない。
【００４７】
自動車（Ａｕｔｏｍｏｔｉｖｅ）は、車両に対する移動通信のための多くの使用例と共に５Ｇにおいて重要な新しい動力になると予想される。例えば、乗客のためのエンターテイメントは、同時に高い容量と高い移動性モバイル広帯域を要求する。その理由は、未来のユーザは、それらの位置及び速度と関係無しで高品質の接続を期待し続けるためである。自動車分野の他の活用例は、増強現実ダッシュボードである。これは、運転手が前面ウィンドウを通してみていることの上に闇の中で物体を識別し、物体の距離と動きに対して運転手に言い表す情報を重ねてディスプレイする。未来に、無線モジュールは、車両同士の通信、車両と支援するインフラ構造の間で情報交換及び自動車と他の接続したデバイス（例えば、歩行者により伴われるデバイス）の間で情報交換を可能にする。安全システムは、運転手がより安全な運転をすることができるように、行動の代替コースを案内して事故の危険を低くすることができるようにする。次のステップは、遠隔操縦されるか、または自体運転車両（ｓｅｌｆ−ｄｒｉｖｅｎ  ｖｅｈｉｃｌｅ）になるはずである。これは、互いに異なる自体運転車両の間及び自動車とインフラとの間で非常に信頼性があり、非常に速い通信を要求する。未来に、自体運転車両がすべての運転活動を行い、運転手は、車両自体が識別できない交通異常だけに集中するようにするはずである。自体運転車両の技術的要求事項は、トラフィック安全を人が達成できない程度の水準まで増加するよう、超低遅延と超高速信頼性を要求する。
【００４８】
スマート社会（ｓｍａｒｔ  ｓｏｃｉｅｔｙ）として言及されるスマート都市とスマートホームは、高密度無線センサネットワークで埋め込まれるはずである。知能型センサの分散ネットワークは、都市または家の費用及びエネルギー−効率的な維持に対する条件を識別するはずである。類似の設定が各家庭のために行われうる。温度センサ、ウィンドウ及び暖房コントローラ、盗難警報機及び家電製品は、全部無線で接続される。このようなセンサのうち、多くのものが典型的に低いデータ送信速度、低電力及び低費用である。しかしながら、例えば、リアルタイムＨＤビデオは、監視のために特定タイプの装置で要求されることができる。
【００４９】
熱またはガスを含んだエネルギーの消費及び分配は、高度に分散化されており、分散センサネットワークの自動化された制御が要求される。スマートグリッドは、情報を収集し、これにより行動するようにデジタル情報及び通信技術を使用して、こういうセンサを相互接続する。この情報は、供給業者と消費者の行動を含むことができるので、スマートグリッドが効率性、信頼性、経済性、生産の持続可能性及び自動化された方式で電気のような燃料の分配を改善するようにできる。スマートグリッドは、遅延が少ない他のセンサネットワークと見なすことができる。
【００５０】
健康部門は、移動通信の恵みを享受することができる多くの応用プログラムを保有している。通信システムは、遠く離れた所で臨床診療を提供する遠隔診療を支援できる。これは、距離に対する障壁を減らすのに役に立ち、距離が遠くの農村で持続的に利用できない医療サービスへの接近を改善させることができる。これは、また重要な診療及び応急状況において生命を助けるために使用される。移動通信基盤の無線センサネットワークは、心拍数及び血圧のようなパラメータに対する遠隔モニタリング及びセンサを提供できる。
【００５１】
無線及びモバイル通信は、産業応用分野において順次重要になりつつある。配線は、設置及び維持費用が高い。したがって、ケーブルを再構成できる無線リンクへの取替可能性は、多くの産業分野で魅力的な機会である。しかしながら、これを達成することは、無線接続がケーブルと似た遅延、信頼性及び容量で動作することと、その管理が単純化になることが要求される。低い遅延と非常に低いエラー確率は、５Ｇで接続される必要がある新しい要求事項である。
【００５２】
物流（ｌｏｇｉｓｔｉｃｓ）及び貨物追跡（ｆｒｅｉｇｈｔ  ｔｒａｃｋｉｎｇ）は、位置基盤情報システムを使用して、どこでもインベントリ（ｉｎｖｅｎｔｏｒｙ）及びパッケージの追跡を可能にする移動通信に対する重要な使用例である。物流及び貨物追跡の使用例は、典型的に低いデータ速度を要求するが、広い範囲と信頼性のある位置情報が必要である。
【００５３】
用語の定義
【００５４】
ｅＬＴＥ  ｅＮＢ：ｅＬＴＥ  ｅＮＢは、ＥＰＣ  及びＮＧＣ  に対する連結を支援するｅＮＢの進化（ｅｖｏｌｕｔｉｏｎ）である。
【００５５】
ｇＮＢ：ＮＧＣとの連結だけでなく、ＮＲを支援するノード。
【００５６】
新たなＲＡＮ：ＮＲまたはＥ−ＵＴＲＡを支援するか、またはＮＧＣと相互作用する無線アクセスネットワーク。
【００５７】
ネットワークスライス（ｎｅｔｗｏｒｋ  ｓｌｉｃｅ）：ネットワークスライスは、終端間の範囲と共に特定要求事項を要求する特定市場シナリオに対して最適化されたソリューションを提供するようにｏｐｅｒａｔｏｒにより定義されたネットワーク。
【００５８】
ネットワーク機能（ｎｅｔｗｏｒｋ  ｆｕｎｃｔｉｏｎ）：ネットワーク機能は、よく定義された外部インターフェースとよく定義された機能的動作を有するネットワークインフラ内での論理的ノード。
【００５９】
ＮＧ−Ｃ：新たなＲＡＮとＮＧＣとの間のＮＧ２レファレンスポイント（ｒｅｆｅｒｅｎｃｅ  ｐｏｉｎｔ）に使われる制御平面インターフェース。
【００６０】
ＮＧ−Ｕ：新たなＲＡＮとＮＧＣとの間のＮＧ３レファレンスポイント（ｒｅｆｅｒｅｎｃｅ  ｐｏｉｎｔ）に使われるユーザ平面インターフェース。
【００６１】
非独立型（Ｎｏｎ−ｓｔａｎｄａｌｏｎｅ）ＮＲ：ｇＮＢがＬＴＥ  ｅＮＢをＥＰＣに制御プレーン連結のためのアンカーとして要求するか、またはｅＬＴＥ  ｅＮＢをＮＧＣに制御プレーン連結のためのアンカーとして要求する配置構成。
【００６２】
非独立型Ｅ−ＵＴＲＡ：ｅＬＴＥ  ｅＮＢがＮＧＣに制御プレーン連結のためのアンカーとしてｇＮＢを要求する配置構成。
【００６３】
ユーザ平面ゲートウェイ：ＮＧ−Ｕインターフェースの終端点。
【００６４】
システム一般
【００６５】
図１は、本明細書の一部実施形態によるＮＲの全体的なシステム構造の一例を示す。
【００６６】
図１を参照すると、ＮＧ−ＲＡＮはＮＧ−ＲＡユーザ平面（新たなＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対する制御平面（ＲＲＣ）プロトコル終端を提供するｇＮＢで構成される。
【００６７】
前記ｇＮＢは、Ｘｎインターフェースを通じて相互連結される。
【００６８】
また、前記ｇＮＢは、ＮＧインターフェースを通じてＮＧＣに連結される。
【００６９】
より具体的には、前記ｇＮＢはＮ２インターフェースを通じてＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを通じてＵＰＦ（Ｕｓｅｒ  Ｐｌａｎｅ  Ｆｕｎｃｔｉｏｎ）に連結される。
【００７０】
ＮＲ（Ｎｅｗ  Ｒａｔ）  ヌメロロジー（Ｎｕｍｅｒｏｌｏｇｙ）及びフレーム（ｆｒａｍｅ）構造
【００７１】
ＮＲシステムでは、複数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）オーバーヘッドにより定義できる。この際、複数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を利用しないと仮定されても、用いられるヌメロロジーは周波数帯域と独立的に選択できる。
【００７２】
また、ＮＲシステムでは複数のヌメロロジーに従う多様なフレーム構造が支援できる。
【００７３】
以下、ＮＲシステムで考慮できるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を説明する。
【００７４】
ＮＲシステムで支援される複数のＯＦＤＭヌメロロジーは、表１のように定義できる。
【００７５】
【表１】
2020532922.tif 000003
【００７６】
ＮＲシステムにおけるフレーム構造（ｆｒａｍｅ  ｓｔｒｕｃｔｕｒｅ）と関連して、時間領域の多様なフィールドのサイズは
2020532922.tif 000004
の時間単位の倍数として表現される。ここで、
2020532922.tif 000005
であり、
2020532922.tif 000006
である。ダウンリンク（ｄｏｗｎｌｉｎｋ）及びアップリンク（ｕｐｌｉｎｋ）伝送は
2020532922.tif 000007
の区間を有する無線フレーム（ｒａｄｉｏ  ｆｒａｍｅ）で構成される。ここで、無線フレームは各々
2020532922.tif 000008
の区間を有する１０個のサブフレーム（ｓｕｂｆｒａｍｅ）で構成される。この場合、アップリンクに対する１セットのフレーム及びダウンリンクに対する１セットのフレームが存在することができる。
【００７７】
図２は、本明細書の一部実施形態による無線通信システムにおけるアップリンクフレームとダウンリンクフレームとの間の関係を示す。
【００７８】
図２に示すように、端末（Ｕｓｅｒ  Ｅｑｕｉｐｍｅｎｔ、ＵＥ）からのアップリンクフレーム番号ｉの伝送は、該当端末での該当ダウンリンクフレームの開始より
2020532922.tif 000009
以前に始めなければならない。
【００７９】
ヌメロロジーμに対して、スロット（ｓｌｏｔ）はサブフレーム内で
2020532922.tif 000010
の増加する順に番号が付けられて、無線フレーム内で
2020532922.tif 000011
の増加する順に番号が付けられる。１つのスロットは
2020532922.tif 000012
の連続するＯＦＤＭシンボルで構成され、
2020532922.tif 000013
は用いられるヌメロロジー及びスロット設定（ｓｌｏｔ  ｃｏｎｆｉｇｕｒａｔｉｏｎ）によって決定される。サブフレームでスロット
2020532922.tif 000014
の開始は同一サブフレームでＯＦＤＭシンボル
2020532922.tif 000015
の開始と時間的に整列される。
【００８０】
全ての端末が同時に送信及び受信できるものではなく、これはダウンリンクスロット（ｄｏｗｎｌｉｎｋ  ｓｌｏｔ）またはアップリンクスロット（ｕｐｌｉｎｋ  ｓｌｏｔ）の全てのＯＦＤＭシンボルが利用できないことを意味する。
【００８１】
表２は、一般（ｎｏｒｍａｌ）ＣＰにおいてスロット別ＯＦＤＭシンボルの数
2020532922.tif 000016
、無線フレーム別スロットの数
2020532922.tif 000017
、サブフレーム別スロットの数
2020532922.tif 000018
を表し、表３は、拡張（ｅｘｔｅｎｄｅｄ）ＣＰにおいてスロット別ＯＦＤＭシンボルの数、無線フレーム別スロットの数、サブフレーム別スロットの数を表す。
【００８２】
【表２】
2020532922.tif 000019
【００８３】
【表３】
2020532922.tif 000020
【００８４】
図３は、ＮＲシステムにおけるフレーム構造の一例を示す。図３は、ただ説明の便宜のためのものに過ぎず、本明細書の範囲を制限するものではない。
【００８５】
表３の場合、
2020532922.tif 000021
の場合、すなわちサブキャリア間隔（ｓｕｂｃａｒｒｉｅｒ  ｓｐａｃｉｎｇ、ＳＣＳ）が６０ｋＨｚである場合の一例であって、表２を参考すると、１サブフレーム（またはフレーム）は、４個のスロットを含むことができ、図３に示す１サブフレーム＝｛１、２、４｝スロットは一例として、１サブフレームに含まれうるスロット（ら）の数は、表２のように定義されることができる。
【００８６】
また、ミニ−スロット（ｍｉｎｉ−ｓｌｏｔ）は、２、４または７シンボル（ｓｙｍｂｏｌ）から構成されることもでき、より多いか、またはより少ないシンボルから構成されうる。
【００８７】
ＮＲシステムにおける物理資源（ｐｈｙｓｉｃａｌ  ｒｅｓｏｕｒｃｅ）と関連して、アンテナポート（ａｎｔｅｎｎａ  ｐｏｒｔ）、資源グリッド（ｒｅｓｏｕｒｃｅ  ｇｒｉｄ）、資源要素（ｒｅｓｏｕｒｃｅ  ｅｌｅｍｅｎｔ）、資源ブロック（ｒｅｓｏｕｒｃｅ  ｂｌｏｃｋ）、キャリアパート（ｃａｒｒｉｅｒ  ｐａｒｔ）などが考慮できる。
【００８８】
以下、ＮＲシステムで考慮できる前記物理資源に対して具体的に説明する。
【００８９】
まず、アンテナポートと関連して、アンテナポートはアンテナポート上のシンボルが運搬されるチャネルが同一なアンテナポート上の他のシンボルが運搬されるチャネルから推論できるように定義される。１つのアンテナポート上のシンボルが運搬されるチャネルの広範囲特性（ｌａｒｇｅ−ｓｃａｌｅ  ｐｒｏｐｅｒｔｙ）が他のアンテナポート上のシンボルが運搬されるチャネルから類推できる場合、２つのアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にいるということができる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【００９０】
図４は、本明細書の一部実施形態による無線通信システムにおいて支援する資源グリッド（ｒｅｓｏｕｒｃｅ  ｇｒｉｄ）の一例を示す。
【００９１】
図４を参考すると、資源グリッドが周波数領域上に
2020532922.tif 000022
サブキャリアから構成され、一つのサブフレームが１４・２μＯＦＤＭシンボルから構成されることを例示的に記述するが、これに限定されるものではない。
【００９２】
ＮＲシステムにおいて、伝送される信号（ｔｒａｎｓｍｉｔｔｅｄ  ｓｉｇｎａｌ）は、
2020532922.tif 000023
サブキャリアで構成される一つまたはそれ以上の資源グリッド及び
2020532922.tif 000024
のＯＦＤＭシンボルによって説明される。ここで、
2020532922.tif 000025
である。前記
2020532922.tif 000026
は、最大伝送帯域幅を示し、これは、ヌメロロジーだけでなく、アップリンクとダウンリンクの間でも異なることができる。
【００９３】
この場合、図５のように、ヌーマロロジー
2020532922.tif 000027
及びアンテナポートｐ別に一つの資源グリッドが設定されることができる。
【００９４】
図５は、本明細書の一部実施形態によるアンテナポート及びヌーマロロジー別資源グリッドの例を示す。
【００９５】
ヌメロロジーμ及びアンテナポートｐに対する資源グリッドの各要素は、資源要素（ｒｅｓｏｕｒｃｅ  ｅｌｅｍｅｎｔ）と呼ばれており、インデックス対
2020532922.tif 000028
によって固有的に識別される。ここで、
2020532922.tif 000029
は、周波数領域上のインデックスであり、
2020532922.tif 000030
は、サブフレーム内でシンボルの位置を称する。スロットで資源要素を称するときは、インデックス対
2020532922.tif 000031
が利用される。ここで、
2020532922.tif 000032
である。
【００９６】
ヌメロロジーμ及びアンテナポートｐに対する資源要素
2020532922.tif 000033
は、複素値（ｃｏｍｐｌｅｘ  ｖａｌｕｅ）
2020532922.tif 000034
に該当する。混同（ｃｏｎｆｕｓｉｏｎ）になる危険性がない場合、あるいは、特定のアンテナポートまたはヌメロロジーが特定されない場合には、インデックスｐ及びμはドロップ（ｄｒｏｐ）されることができ、その結果、複素値は
2020532922.tif 000035
または
2020532922.tif 000036
になることがある。
【００９７】
また、物理資源ブロック（ｐｈｙｓｉｃａｌ  ｒｅｓｏｕｒｃｅ  ｂｌｏｃｋ）は、周波数領域上の
2020532922.tif 000037
連続的なサブキャリアとして定義される。
【００９８】
Ｐｏｉｎｔ  Ａは、資源ブロックグリッドの共通参照地点（ｃｏｍｍｏｎ  ｒｅｆｅｒｅｎｃｅ  ｐｏｉｎｔ）としての役割をし、次のように獲得されうる。
【００９９】
−ＰＣｅｌｌダウンリンクに対するｏｆｆｓｅｔＴｏＰｏｉｎｔＡは、初期セル選択のためにＵＥにより使用されたＳＳ／ＰＢＣＨブロックと重なる最も低い資源ブロックの波長の低いサブキャリアとＰｏｉｎｔ  Ａとの間の周波数オフセットを表し、ＦＲ１に対して１５ｋＨｚサブキャリア間隔及びＦＲ２に対して６０ｋＨｚサブキャリア間隔を仮定したリソースブロック単位（ｕｎｉｔ）で表現され；
【０１００】
−ａｂｓｏｌｕｔｅＦｒｅｑｕｅｎｃｙＰｏｉｎｔＡは、ＡＲＦＣＮ（ａｂｓｏｌｕｔｅ  ｒａｄｉｏ−ｆｒｅｑｕｅｎｃｙ  ｃｈａｎｎｅｌ  ｎｕｍｂｅｒ）のように表現されたＰｏｉｎｔ  Ａの周波数−位置を表す。
【０１０１】
共通資源ブロック（ｃｏｍｍｏｎ  ｒｅｓｏｕｒｃｅ  ｂｌｏｃｋ）は、サブキャリア間隔設定に対する周波数領域から０から上側へナンバリング（ｎｕｍｂｅｒｉｎｇ）される。
【０１０２】
サブキャリア間隔設定
2020532922.tif 000038
に対する共通資源ブロック０のｓｕｂｃａｒｒｉｅｒ  ０の中心は、「Ｐｏｉｎｔ  Ａ」と一致する。周波数領域で共通資源ブロック番号（ｎｕｍｂｅｒ）
2020532922.tif 000039
とサブキャリア間隔設定
2020532922.tif 000040
に対する資源要素（ｋ、ｌ）は、以下の式１のように与えられることができる。
【０１０３】
【数１】
2020532922.tif 000041
【０１０４】
式中、
2020532922.tif 000042
は、
2020532922.tif 000043
がＰｏｉｎｔ  Ａを中心にするｓｕｂｃａｒｒｉｅｒに該当するようにＰｏｉｎｔ  Ａに相対的に定義されることができる。物理資源ブロックは、帯域幅パート（ｂａｎｄｗｉｄｔｈ  ｐａｒｔ、ＢＷＰ）内で０から
2020532922.tif 000044
まで番号が付けられ、
2020532922.tif 000045
は、ＢＷＰの番号である。ＢＷＰ  ｉにおいて物理資源ブロック
2020532922.tif 000046
と共通資源ブロック
2020532922.tif 000047
との間の関係は、以下の式２により与えられることができる。
【０１０５】
【数２】
2020532922.tif 000048
【０１０６】
式中、
2020532922.tif 000049
は、ＢＷＰが共通資源ブロック０に相対的に始める共通資源ブロックでありうる。
【０１０７】
帯域幅パート（Ｂａｎｄｗｉｄｔｈ  ｐａｒｔ、ＢＷＰ）
【０１０８】
ＮＲシステムは、一つのｃｏｍｐｏｎｅｎｔ  ｃａｒｒｉｅｒ（ＣＣ）当たりの最大４００ＭＨｚまで支援されることができる。このようなｗｉｄｅｂａｎｄ  ＣＣで動作する端末が常にＣＣ全体に対するＲＦをオンにしておいたままで動作すると、端末バッテリー消耗が大きくなることができる。あるいは、一つのｗｉｄｅｂａｎｄ  ＣＣ内に動作する複数のｕｓｅ  ｃａｓｅ（ｅ．ｇ．、ｅＭＢＢ、ＵＲＬＬＣ、Ｍｍｔｃ、Ｖ２Ｘ等）を考慮する時、該当ＣＣ内に周波数帯域別に互いに異なるｎｕｍｅｒｏｌｏｇｙ（ｅ．ｇ．、ｓｕｂ−ｃａｒｒｉｅｒ  ｓｐａｃｉｎｇ）が支援されうる。あるいは、端末別に最大ｂａｎｄｗｉｄｔｈに対するｃａｐａｂｉｌｉｔｙが異なりうる。これを考慮して、基地局は、ｗｉｄｅｂａｎｄ  ＣＣの全体ｂａｎｄｗｉｄｔｈではない一部ｂａｎｄｗｉｄｔｈにおいてのみ動作するように端末に指示でき、該当一部ｂａｎｄｗｉｄｔｈを便宜上ｂａｎｄｗｉｄｔｈ  ｐａｒｔ（ＢＷＰ）と定義する。ＢＷＰは、周波数軸上において連続したｒｅｓｏｕｒｃｅ  ｂｌｏｃｋ（ＲＢ）から構成されることができ、一つのｎｕｍｅｒｏｌｏｇｙ（ｅ．ｇ．、ｓｕｂ−ｃａｒｒｉｅｒ  ｓｐａｃｉｎｇ、ＣＰ  ｌｅｎｇｔｈ、ｓｌｏｔ／ｍｉｎｉ−ｓｌｏｔ  ｄｕｒａｔｉｏｎ）に対応できる。
【０１０９】
一方、基地局は、端末にｃｏｎｆｉｇｕｒｅされた一つのＣＣ内でも多数のＢＷＰを設定できる。一例として、ＰＤＣＣＨ  ｍｏｎｉｔｏｒｉｎｇ  ｓｌｏｔでは、相対的に小さな周波数領域を占めるＢＷＰを設定し、ＰＤＣＣＨで指示するＰＤＳＣＨは、それより大きなＢＷＰ上にｓｃｈｅｄｕｌｅされることができる。あるいは、特定ＢＷＰにＵＥが集中する場合、ｌｏａｄ  ｂａｌａｎｃｉｎｇのために一部ＵＥを他のＢＷＰに設定できる。あるいは、隣接セル間のｆｒｅｑｕｅｎｃｙ  ｄｏｍａｉｎ  ｉｎｔｅｒ−ｃｅｌｌ  ｉｎｔｅｒｆｅｒｅｎｃｅ  ｃａｎｃｅｌｌａｔｉｏｎなどを考慮して、全体ｂａｎｄｗｉｄｔｈのうち、一部ｓｐｅｃｔｒｕｍを排除し両側ＢＷＰを同一ｓｌｏｔ内でも設定できる。すなわち、基地局は、ｗｉｄｅｂａｎｄ  ＣＣとａｓｓｏｃｉａｔｉｏｎされた端末に少なくとも一つのＤＬ／ＵＬ  ＢＷＰをｃｏｎｆｉｇｕｒｅでき、特定時点にｃｏｎｆｉｇｕｒｅｄ  ＤＬ／ＵＬ  ＢＷＰ（ｓ）のうち、少なくとも一つのＤＬ／ＵＬ  ＢＷＰを（Ｌ１  ｓｉｇｎａｌｉｎｇ  ｏｒ  ＭＡＣ  ＣＥ  ｏｒ  ＲＲＣ  ｓｉｇｎａｌｌｉｎｇなどにより）ａｃｔｉｖａｔｉｏｎさせることができ、他のｃｏｎｆｉｇｕｒｅｄ  ＤＬ／ＵＬ  ＢＷＰでｓｗｉｔｃｈｉｎｇが（Ｌ１  ｓｉｇｎａｌｉｎｇ  ｏｒ  ＭＡＣ  ＣＥ  ｏｒ  ＲＲＣ  ｓｉｇｎａｌｌｉｎｇなどにより）指示されることができるか、ｔｉｍｅｒ基盤にｔｉｍｅｒ値がｅｘｐｉｒｅされると、決まったＤＬ／ＵＬ  ＢＷＰにｓｗｉｔｃｈｉｎｇされうる。このとき、ａｃｔｉｖａｔｉｏｎされたＤＬ／ＵＬ  ＢＷＰをａｃｔｉｖｅ  ＤＬ／ＵＬ  ＢＷＰと定義する。ところが、端末がｉｎｉｔｉａｌ  ａｃｃｅｓｓ過程にあるか、またはＲＲＣ  ｃｏｎｎｅｃｔｉｏｎがｓｅｔ  ｕｐされる前などの状況では、ＤＬ／ＵＬ  ＢＷＰに対するｃｏｎｆｉｇｕｒａｔｉｏｎを受信できない場合もありうるが、このような状況で端末が仮定するＤＬ／ＵＬ  ＢＷＰは、ｉｎｉｔｉａｌ  ａｃｔｉｖｅ  ＤＬ／ＵＬ  ＢＷＰと定義する。
【０１１０】
Ｓｅｌｆ−ｃｏｎｔａｉｎｅｄ構造
【０１１１】
ＮＲシステムにおいて考慮されるＴＤＤ（Ｔｉｍｅ  Ｄｉｖｉｓｉｏｎ  Ｄｕｐｌｅｘｉｎｇ）構造は、アップリンク（Ｕｐｌｉｎｋ、ＵＬ）とダウンリンク（Ｄｏｗｎｌｉｎｋ、ＤＬ）を一つのスロット（ｓｌｏｔ）（または、サブフレーム（ｓｕｂｆｒａｍｅ））で全部処理する構造である。これは、ＴＤＤシステムにおいてデータ送信の遅延（ｌａｔｅｎｃｙ）を最小化するためのもので、前記構造は、ｓｅｌｆ−ｃｏｎｔａｉｎｅｄ構造またはｓｅｌｆ−ｃｏｎｔａｉｎｅｄスロットと称されうる。
【０１１２】
図６は、本明細書の一部実施形態によるｓｅｌｆ−ｃｏｎｔａｉｎｅｄ構造の一例を示す。図６は、ただ説明の便宜のためのものに過ぎず、本明細書の範囲を制限するものではない。
【０１１３】
図６を参考すると、ｌｅｇａｃｙ  ＬＴＥの場合のように、一つの送信単位（例：スロット、サブフレーム）が１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）から構成される場合が仮定される。
【０１１４】
図６において、領域６０２は、ダウンリンク制御領域（ｄｏｗｎｌｉｎｋ  ｃｏｎｔｒｏｌ  ｒｅｇｉｏｎ）を意味し、領域６０４は、アップリンク制御領域（ｕｐｌｉｎｋ  ｃｏｎｔｒｏｌ  ｒｅｇｉｏｎ）を意味する。また、領域６０２及び領域６０４以外の領域（すなわち、別途の表示のない領域）は、ダウンリンクデータ（ｄｏｗｎｌｉｎｋ  ｄａｔａ）またはアップリンクデータ（ｕｐｌｉｎｋ  ｄａｔａ）の送信のために利用されることができる。
【０１１５】
すなわち、アップリンク制御情報（ｕｐｌｉｎｋ  ｃｏｎｔｒｏｌ  ｉｎｆｏｒｍａｔｉｏｎ）及びダウンリンク制御情報（ｄｏｗｎｌｉｎｋ  ｃｏｎｔｒｏｌ  ｉｎｆｏｒｍａｔｉｏｎ）は、一つのｓｅｌｆ−ｃｏｎｔａｉｎｅｄスロットから送信されることができる。これに対し、データ（ｄａｔａ）の場合、アップリンクデータまたはダウンリンクデータが一つのｓｅｌｆ−ｃｏｎｔａｉｎｅｄスロットから送信されることができる。
【０１１６】
図６に示された構造を利用する場合、一つのｓｅｌｆ−ｃｏｎｔａｉｎｅｄスロット内で、ダウンリンク送信とアップリンク送信が順次に行われ、ダウンリンクデータの送信及びアップリンクＡＣＫ／ＮＡＣＫの受信が行われうる。
【０１１７】
結果的に、データ送信のエラーが発生する場合、データの再送信までかかる時間が減少できる。これにより、データ伝達と関連した遅延が最小化できる。
【０１１８】
図６のようなｓｅｌｆ−ｃｏｎｔａｉｎｅｄスロット構造において、基地局（ｅＮｏｄｅ  Ｂ、ｅＮＢ、ｇＮＢ）及び／または端末（ｔｅｒｍｉｎａｌ、ＵＥ（Ｕｓｅｒ  Ｅｑｕｉｐｍｅｎｔ））が送信モード（ｔｒａｎｓｍｉｓｓｉｏｎ  ｍｏｄｅ）から受信モード（ｒｅｃｅｐｔｉｏｎｍｏｄｅ）に転換する過程または受信モードから送信モードに転換する過程のための時間ギャップ（ｔｉｍｅｇａｐ）が要求される。前記時間ギャップと関連して、前記ｓｅｌｆ−ｃｏｎｔａｉｎｅｄスロットにおいてダウンリンク送信以後にアップリンク送信が行われる場合、一部ＯＦＤＭシンボル（ら）が保護区間（Ｇｕａｒｄ  Ｐｅｒｉｏｄ、ＧＰ）に設定されることができる。
【０１１９】
ＣＳＩ測定及び／または報告と関連して、次のような事項が論議されている。
【０１２０】
ここで、使用されたように、パラメータＺは、端末がＣＳＩ報告を行うために必要な最小時間、例えば端末がＣＳＩ報告をスケジューリングするＤＣＩを受信する時点から端末が実際ＣＳＩ報告を行う時点までの最小時間区間（または、ギャップ）を称されうる。
【０１２１】
また、ＣＳＩ参照資源（ＣＳＩ  ｒｅｆｅｒｅｎｃｅ  ｒｅｓｏｕｒｃｅ）の時間オフセットは、ＣＳＩ遅延（ＣＳＩ  ｌａｔｅｎｃｙ）に対する、端末がＣＳＩ報告と関連した測定資源（例：ＣＳＩ−ＲＳ）を受信する時点から端末が実際ＣＳＩ報告を行う時点までの最小時間区間（以下、Ｚ’と称する）及びヌーマロロジー（ｎｕｍｅｒｏｌｏｇｙ）（例：サブキャリア間隔（ｓｕｂｃａｒｒｉｅｒ  ｓｐａｃｉｎｇ））に基づいて導き出されうる。
【０１２２】
具体的に、ＣＳＩの算出（ｃａｌｃｕｌａｔｉｏｎ  ｏｒ  ｃｏｍｐｕｔａｔｉｏｎ）と関連して、以下の表４ないし表７のように、Ｚ及びＺ’値が定義されうる。ここで、Ｚは、非周期的ＣＳＩ報告だけに関連する。一例として、Ｚ値は、（ＣＳＩ報告をスケジューリングする）ＤＣＩに対したデコード時間（ｄｅｃｏｄｉｎｇｔｉｍｅ）とＣＳＩ処理時間（ＣＳＩ  ｐｒｏｃｅｓｓｉｎｇ  ｔｉｍｅ）（例：以下説明されるＺ’）の合計で表現されることができる。また、一般的な端末のＺ値の場合、ＣＳＩ−ＲＳは、ＰＤＣＣＨシンボル（すなわち、ＤＣＩが送信されるＰＤＣＣＨのシンボル）の最後のシンボルの次から位置できると仮定されうる。
【０１２３】
また、上述したように、パラメータＺ’は、端末がＣＳＩ報告と関連した測定資源（すなわち、ＣＭＲ、ＩＭＲ）（例：ＣＳＩ−ＲＳ等）を受信した時点から実際ＣＳＩ報告を行う時点までの最小時間区間（または、時間ギャップ）を称しうる。一般に（Ｚ、Ｚ’）及びヌーマロロジーと関連して、ＣＳＩ遅延は、以下の表４のように表現されることができる。
【０１２４】
【表４】
2020532922.tif 000050
【０１２５】
また、表５及び表６は、それぞれ一般ＵＥ（ｎｏｒｍａｌ  ＵＥ）に対するＣＳＩ算出時間及び向上したＵＥ（ａｄｖａｎｃｅｄ  ＵＥ）に対するＣＳＩ算出時間の一例を示す。表５及び表６は、ただ例示に過ぎず、本明細書で提案する方法などに対して制限するものではない。
【０１２６】
【表５】
2020532922.tif 000051
【０１２７】
【表６】
2020532922.tif 000052
【０１２８】
また、上述したＣＳＩ遅延と関連して、Ｎ個のＣＳＩ報告がトリガーリングされる場合、与えられた時間にＸ個のＣＳＩ報告まで算出されると仮定できる。ここで、Ｘは、端末能力情報などに基づくことができる。また、上述したＺ（及び／またはＺ’）と関連して、端末は、Ｚ値と関連した条件を満たさないＣＳＩ報告をスケジューリングするＤＣＩは、無視するように設定されることができる。
【０１２９】
また、上述したようなＣＳＩ遅延と関連した情報（すなわち、（Ｚ、Ｚ’）に対する情報）は、端末能力（ＵＥ  ｃａｐａｂｉｌｉｔｙ）情報として（基地局に）端末により報告されうる。
【０１３０】
例えば、単一ＣＳＩ報告（ｓｉｎｇｌｅ  ＣＳＩ  ｒｅｐｏｒｔ）に設定されたＰＵＳＣＨだけを介した非周期的（ａｐｅｒｉｏｄｉｃ）ＣＳＩ報告がトリガーリングされる場合、端末は、「Ｍ−Ｌ−Ｎ＜Ｚ」のようなシンボルオフセットを有するスケジューリングＤＣＩ（ｄｏｗｎｌｉｎｋ  ｃｏｎｔｒｏｌ  ｉｎｆｏｒｍａｔｉｏｎ）を受信すると予想されない場合がありうる。また、チャネル測定に非周期的ＣＳＩ−ＲＳ（Ｃｈａｎｎｅｌ  ｓｔａｔｅ  ｉｎｆｏｒｍａｔｉｏｎ−Ｒｅｆｅｒｅｎｃｅ  Ｓｉｇｎａｌ）がチャネル測定に利用され、「Ｍ−Ｏ−Ｎ＜Ｚ」のようなシンボルオフセットを有する場合、端末は、スケジューリングＤＣＩを受信すると予想されない場合がありうる。
【０１３１】
前記説明において、Ｌは、非周期的報告をトリガーリングするＰＤＣＣＨの最後のシンボル（ｌａｓｔ  ｓｙｍｂｏｌ）を表し、Ｍは、ＰＵＳＣＨの開始シンボル（ｓｔａｒｔｉｎｇ  ｓｙｍｂｏｌ）を表し、Ｎは、シンボル単位のＴＡ（Ｔｉｍｉｎｇ  Ａｄｖａｎｃｅｄ）値を表すことができる。また、Ｏは、ＣＭＲ（Ｃｈａｎｎｅｌ  Ｍｅａｓｕｒｅｍｅｎｔ  Ｒｅｓｏｕｒｃｅ）に対する非周期的ＣＳＩ−ＲＳの最後のシンボル、ＩＭＲ（Ｉｎｔｅｒｆｅｒｅｎｃｅ  Ｍｅａｓｕｒｅｍｅｎｔ  Ｒｅｓｏｕｒｃｅ）のための非周期的ＮＺＰ（ｎｏｎ  ｚｅｒｏ  ｐｏｗｅｒ）ＣＳＩ−ＲＳの最後のシンボル（存在する場合）、及び非周期的ＣＳＩ−ＩＭ（Ｃｈａｎｎｅｌ  ｓｔａｔｅ  ｉｎｆｏｒｍａｔｉｏｎ−Ｉｎｔｅｒｆｅｒｅｎｃｅ  Ｍｅａｓｕｒｅｍｅｎｔ）の最後のシンボル（存在する場合）のうち、最も最後のシンボルを表す。前記ＣＭＲは、チャネル測定のためのＲＳ及び／または資源を意味し、ＩＭＲは、干渉測定のためのＲＳ及び／または資源を意味できる。
【０１３２】
上述したＣＳＩ報告と関連して、ＣＳＩ報告が衝突される場合が発生できる。ここで、ＣＳＩ報告の衝突は、ＣＳＩ報告を送信するようにスケジューリングされた物理チャネルの時間占有が少なくとも一つのシンボルで重なり、同じキャリヤから送信される場合を意味できる。一例として、２個以上のＣＳＩ報告が衝突する場合、次のような規則に従って一つのＣＳＩ報告が行われうる。このとき、まずＲｕｌｅ  ＃１が適用され、以後にＲｕｅｌ  ＃２が適用される順次的な方式でＣＳＩ報告の優先順位が決定されうる。以下の規則のうち、Ｒｕｌｅ  ＃２、Ｒｕｌｅ  ＃３、及びＲｕｌｅ  ＃４は、ＰＵＣＣＨを対象にするすべての周期的報告及び半−持続的報告だけに適用されることでありうる。
【０１３３】
−Ｒｕｌｅ  ＃１：時間領域上の動作観点において、非周期的（Ａｐｅｒｉｏｄｉｃ、ＡＰ）ＣＳＩ＞ＰＵＳＣＨ基盤の半−持続的（ｓｅｍｉ−ｐｅｒｓｉｓｔｅｎｔ、ＳＰ）ＣＳＩ＞ＰＵＣＣＨ基盤の半−持続的ＣＳＩ＞周期的（Ｐｅｒｉｏｄｉｃ、Ｐ）ＣＳＩ
【０１３４】
−Ｒｕｌｅ  ＃２：ＣＳＩコンテンツ観点において、ビーム管理（ｂｅａｍ  ｍａｎａｇｅｍｅｎｔ）（例：ビーム報告（ｂｅａｍ  ｒｅｐｏｒｔｉｎｇ））関連ＣＳＩ＞ＣＳＩ獲得（ＣＳＩ  ａｃｑｕｉｓｉｔｉｏｎ）関連ＣＳＩ
【０１３５】
−Ｒｕｌｅ＃３：セル識別子（Ｃｅｌｌ  ＩＤ、ｃｅｌｌＩＤ）観点において、ＰＣｅｌｌ（Ｐｒｉｍａｒｙ  Ｃｅｌｌ）＞ＰＳＣｅｌｌ（Ｐｒｉｍａｒｙ  Ｓｅｃｏｎｄａｒｙ  Ｃｅｌｌ）＞他のセルＩＤｓ（増加する順に）
【０１３６】
−Ｒｕｌｅ  ＃４：ＣＳＩ報告関連識別子（例：ＣＳＩ  ｒｅｐｏｒｔＩＤ）観点で、識別子のインデックスが増加する順に
【０１３７】
また、上述したＣＳＩ報告と関連して、ＣＳＩ処理ユニット（ＣＳＩ Ｐｒｏｃｅｓｓｉｎｇ Ｕｎｉｔ、ＣＰＵ）が定義されうる。一例として、端末がＸ個のＣＳＩ算出を支援する（例：端末能力情報２−３５基盤）ことは、Ｘ個のＣＳＩ処理ユニットを有するという（または、利用するという）ことを意味できる。このとき、ＣＳＩ処理ユニットの数は、Ｋ＿ｓで表現されることができる。
【０１３８】
例えば、（チャネル測定のための資源集合において単一ＣＳＩ−ＲＳ資源から構成された）非周期的ＣＳＩ−ＲＳを利用する非周期的ＣＳＩ報告の場合、ＣＳＩ処理ユニットは、ＰＤＣＣＨトリガーリング以後に第１のＯＦＤＭシンボルでＣＳＩ報告を運搬するＰＵＳＣＨの最後のシンボルまで占有された状態に維持されることができる。
【０１３９】
他の例として、スロットで（各々チャネル測定のための資源集合において単一ＣＳＩ−ＲＳ資源から構成された）Ｎ個のＣＳＩ報告がトリガーされるが、端末がＭ個の占有されない（ｕｎ−ｏｃｃｕｐｉｅｄ）ＣＳＩ処理ユニットだけを有した場合、該当端末は、Ｎ個のＣＳＩ報告のうち、Ｍ個だけをアップデート（すなわち、報告）するよう設定されることもできる。
【０１４０】
また、上述したＸ個のＣＳＩ算出と関連して、端末能力は、Ｔｙｐｅ  Ａ  ＣＳＩ処理能力またはＴｙｐｅ  Ｂ  ＣＳＩ処理能力のうち、いずれか一つを支援するように設定されることができる。
【０１４１】
例えば、非周期的ＣＳＩトリガー状態（Ａ−ＣＳＩ  ｔｒｉｇｇｅｒ  ｓｔａｔｅ）がＮ個のＣＳＩ報告（ここで、各ＣＳＩ報告は、（Ｚ＿ｎ、Ｚ’＿ｎ）と関連する）をトリガーし、Ｍ個の非占有されたＣＳＩ処理ユニットを有した場合を仮定しよう。
【０１４２】
Ｔｙｐｅ  Ａ  ＣＳＩ処理能力の場合、ＰＵＳＣＨの第１番目のシンボルと非周期的ＣＳＩ−ＲＳ／非周期的ＣＳＩ−ＩＭと関連した最後のシンボル間の時間ギャップ（ｔｉｍｅ  ｇａｐ）が
2020532922.tif 000053
によるＣＳＩ算出時間が充分でないと、端末は、トリガーされたＣＳＩ報告のうち、いずれか一つにアップデートすると予想されないことがありうる。また、端末は、
2020532922.tif 000054
より小さなスケジューリングオフセットを有するＰＵＳＣＨをスケジューリングするＤＣＩを無視できる。
【０１４３】
Ｔｙｐｅ  Ｂ  ＣＳＩ処理能力の場合、ＰＵＳＣＨスケジューリングオフセットが該当報告に該当Ｚ’値に応じるＣＳＩ算出時間が充分でないと、端末は、ＣＳＩ報告をアップデートすると予想されないことがありうる。また、端末は、他の報告に対するＺ値のうち、いずれか一つより小さなスケジューリングオフセットを有するＰＵＳＣＨをスケジューリングするＤＣＩを無視できる。
【０１４４】
他の例として、周期的及び／または半−持続的ＣＳＩ−ＲＳに基づいたＣＳＩ報告は、以下のＴｙｐｅ  Ａ方式またはＴｙｐｅ  Ｂ方式によってＣＳＩ処理ユニットに配分できる。Ｔｙｐｅ  Ａ方式は、直列の（ｓｅｒｉａｌ）ＣＳＩ処理具現を仮定し、Ｔｙｐｅ  Ｂ方式は、並列の（ｐａｒａｌｌｅｌ）ＣＳＩ処理具現を仮定することでありうる。
【０１４５】
Ｔｙｐｅ  Ａ方式では、周期的及び／または半−持続的ＣＳＩ報告の場合、ＣＳＩ処理ユニットは、周期的及び／または半−持続的ＣＳＩ報告のＣＳＩ参照資源（ＣＳＩ  ｒｅｆｅｒｅｎｃｅ  ｒｅｓｏｕｒｃｅ）の第１番目のシンボルから該当ＣＳＩ報告を運搬する物理チャネルの第１番目のシンボルまで占有できる。非周期的ＣＳＩ報告の場合、該当ＣＳＩ報告をトリガーリングするＰＤＣＣＨ以後の第１番目のシンボルから該当ＣＳＩ報告を運搬する物理チャネルの第１番目のシンボルまで占有できる。
【０１４６】
Ｔｙｐｅ  Ｂ方式では、周期的及び／または半−持続的ＣＳＩ−ＲＳに基盤する周期的または非周期的ＣＳＩ報告セッティング（ＣＳＩ  ｒｅｐｏｒｔｉｎｇ  ｓｅｔｔｉｎｇ）は、一つまたはＫ＿ｓ個のＣＳＩ処理ユニットに割り当てられることができ、常に一つまたはＫ＿ｓ個のＣＳＩ処理ユニットを占有できる。また、活性化された半−持続的ＣＳＩ報告セッティングは、一つまたはＫ＿ｓ個のＣＳＩ処理ユニットに割り当てられることができ、非活性化されるまで一つまたはＫ＿ｓ個のＣＳＩ処理ユニットを占有できる。半−持続的ＣＳＩ報告が非活性化されると、ＣＳＩ処理ユニットは、他のＣＳＩ報告のために利用されることができる。
【０１４７】
また、上述したＴｙｐｅ  Ａ  ＣＳＩ処理能力の場合、周期的及び／または半−持続的ＣＳＩ報告により占有されたＣＳＩ処理ユニットの数がＵＥ能力に応じる同時ＣＳＩ算出の数（Ｘ）を超過すると、端末は、周期的及び／または半−持続的ＣＳＩ報告をアップデートすると予想されないことができる。
【０１４８】
（第１の実施形態）
【０１４９】
本実施形態では、一つ以上のＣＳＩ報告に対するＣＳＩ処理ユニットの配分、割り当て及び／または占有を設定する方法に対する例を説明する。
【０１５０】
上述したＣＳＩ処理ユニット（ＣＳＩ  Ｐｒｏｃｅｓｓｉｎｇ  Ｕｎｉｔ、ＣＰＵ）と関連して、どんなＣＳＩがＣＳＩ処理ユニットを利用するのかすなわち、どんなＣＳＩがＣＳＩ処理ユニットに割り当てられるのかを決定する規則が考慮される必要がある。本明細書においてＣＳＩ処理ユニットと関連して、ＣＳＩは、ＣＳＩ報告を意味または称するものでありうる。
【０１５１】
説明の便宜のために、本実施形態では、端末がＸ個のＣＳＩ処理ユニットを有し、このうち、Ｘ−Ｍ個のＣＳＩ処理ユニットがＣＳＩ算出により占有（すなわち、利用）され、Ｍ個のＣＳＩ処理ユニットは、占有されない場合が仮定される。すなわち、Ｍは、ＣＳＩ報告により占有されないＣＳＩ処理ユニットの数を意味できる。
【０１５２】
このとき、特定時点（例：特定ＯＦＤＭシンボル）においてＭより大きなＮ個のＣＳＩ報告がＣＳＩ処理ユニットの占有を始めようと競争する状況が発生しうる。
【０１５３】
例えば、ｎ番目のＯＦＤＭシンボルにおいてＭが２である状態で３個のＣＳＩ報告に対してＣＳＩ処理ユニットの占有（すなわち、利用）が始まると、３個のＣＳＩ報告のうち、２個だけがＣＳＩ処理ユニットを占有するようになる。この場合、残りの一つのＣＳＩ報告に対しては、ＣＳＩ処理ユニットが割り当て（または、配分）られず、該当ＣＳＩ報告に対するＣＳＩが算出されることができない。算出されないＣＳＩに対しては、該当ＣＳＩ報告に対して最も最近に算出された及び／または報告されたＣＳＩを再報告するよう定義（または、約束）したり、または予め設定された特定ＣＳＩ値を報告するように定義（または、約束）したり、報告しないように定義（または、約束）する方式が考慮されうる。
【０１５４】
以下、本実施形態では、ＣＳＩ処理ユニットの占有に対する競争が発生する場合、どのＣＳＩ報告を優先的にＣＳＩ処理ユニットに配分するのかに対する順位（以下、ＣＳＩ処理ユニット占有に対する優先順位）に対して次のような方法を提案する。また、以下説明される方法だけでなく、ＣＳＩ処理ユニットの占有に対する優先順位は、先に言及されたＣＳＩ衝突において同一または類似に設定されることができる。
【０１５５】
例示１）
【０１５６】
ＣＳＩ処理ユニットの占有に対する優先順位は、遅延要求事項（ｌａｔｅｎｃｙ  ｒｅｑｕｉｒｅｍｅｎｔ）に基づいて決定されることができる。
【０１５７】
ＮＲシステムにおけるすべてのＣＳＩは、低い遅延（ｌｏｗ  ｌａｔｅｎｃｙ）ＣＳＩまたは高い遅延（ｈｉｇｈ  ｌａｔｅｎｃｙ）ＣＳＩのうち、いずれか一つに決定されることができる。ここで、低い遅延ＣＳＩは、ＣＳＩ算出において端末の複雑度が低いＣＳＩを意味し、高い遅延ＣＳＩは、ＣＳＩ算出において端末の複雑度が高いＣＳＩを意味できる。一例として、ＣＳＩが低い遅延ＣＳＩである場合、該当ＣＳＩは、ＣＳＩ算出量が少なくて、高い遅延ＣＳＩより短い時間の間にＣＳＩ処理ユニットを占有するようになる。
【０１５８】
低い遅延ＣＳＩが高い遅延ＣＳＩより優先してＣＳＩ処理ユニットを占有するように設定されることができる。これは、低い遅延ＣＳＩと高い遅延ＣＳＩが衝突する場合、低い遅延ＣＳＩを優先してＣＳＩ処理ユニットの占有時間を最小化し、速く他のＣＳＩ算出に該当ＣＳＩ処理ユニットを活用できるという長所がある。
【０１５９】
または、高い遅延ＣＳＩが低い遅延ＣＳＩより優先して、ＣＳＩ処理ユニットを占有するように設定されることができる。これは、高い遅延ＣＳＩは、低い遅延ＣＳＩより計算複雑度が高くて、より多くの及び／または正確なチャネル情報を提供できるからである。
【０１６０】
例示２）
【０１６１】
ＣＳＩ処理ユニットの占有に対する優先順位は、ＣＳＩ処理ユニットの占有終了時間に基づいて決定されることができる。
【０１６２】
ＣＳＩ処理ユニットの占有終了時間が短いＣＳＩが優先的にＣＳＩ処理ユニットを占有するように設定されることができる。
【０１６３】
多数のＣＳＩ（報告）らに対してＣＳＩ処理ユニットに対する占有開始時点が同一であっても、占有終了時間は、互いに異なりうる。一例として、同じ低い遅延ＣＳＩまたは高い遅延ＣＳＩであっても、ＣＳＩ算出のためのチャネル及び／または干渉測定されるＣＳＩ−ＲＳ及び／またはＣＳＩ−Ｉｍｄｍｌ時間領域上での動作（ｔｉｍｅ  ｄｏｍａｉｎ  ｂｅｈａｖｉｏｒ）（例：周期的、半−持続的、非周期的）によって各ＣＳＩ報告に対する占有終了時間は異なりうる。占有終了時点が短いＣＳＩを優先することによって、ＣＳＩ処理ユニットの占有時間を最小化し、速く他のＣＳＩ算出に該当ＣＳＩ処理ユニットを活用できるという長所がある。
【０１６４】
または、ＣＳＩ処理ユニットの占有終了時間が長い（すなわち、遅い）ＣＳＩが優先的にＣＳＩ処理ユニットを占有するように設定されることができる。これは、占有終了時間が長いＣＳＩは、算出時間が長くかかり、より多くの及び／または正確なチャネル情報を提供できるためである。
【０１６５】
例示３）
【０１６６】
ＣＳＩ処理ユニットの占有に対する優先順位は、チャネル測定に利用される参照信号（例：ＣＳＩ−ＲＳ）及び／または干渉測定に利用される参照信号（例：ＣＳＩ−ＩＭ）に対する時間領域上での動作に基づいて決定されることができる。
【０１６７】
説明の便宜のために、本例示では、ＣＳＩ報告と関連してチャネル測定に利用される参照信号は、ＣＳＩ−ＲＳで、干渉測定に利用される参照信号は、ＣＳＩ−ＩＭである場合を仮定する。
【０１６８】
ＣＳＩ−ＲＳ及び／またはＣＳＩ−ＩＭは、周期的、半−持続的、または非周期的のような三通りの類型で送受信されうる。周期的ＣＳＩ−ＲＳ及び／またはＣＳＩ−ＩＭに基づいて算出されるＣＳＩは、チャネル及び／または干渉を測定する機会が多数存在できる。したがって、周期的ＣＳＩ−ＲＳ及び／またはＣＳＩ−ＩＭに基づいたＣＳＩより、非周期的ＣＳＩ−ＲＳ及び／またはＣＳＩ−ＩＭに基づいて算出されるＣＳＩが優先して、ＣＳＩ処理ユニットを占有することが好ましくありうる。
【０１６９】
したがって、非周期的ＣＳＩ−ＲＳ及び／またはＣＳＩ−ＩＭに基づいたＣＳＩ、半−持続的ＣＳＩ−ＲＳ及び／またはＣＳＩ−ＩＭに基づいたＣＳＩ、周期的ＣＳＩ−ＲＳ及び／またはＣＳＩ−ＩＭに基づいたＣＳＩ順に優先順位が決定されることができる。すなわち、「非周期的ＣＳＩ−ＲＳ及び／またはＣＳＩ−ＩＭに基づいたＣＳＩ＞半−持続的ＣＳＩ−ＲＳ及び／またはＣＳＩ−ＩＭに基づいたＣＳＩ＞周期的ＣＳＩ−ＲＳ及び／またはＣＳＩ−ＩＭに基づいたＣＳＩ」でＣＳＩ処理ユニットの占有に対する優先順位が決定されることができる。このような優先順位は、ＣＳＩ処理ユニットの占有に対する優先順位だけでなく、上述したＣＳＩ衝突（ＣＳＩ  ｃｏｌｌｉｓｉｏｎ）規則にも拡張して適用されることができる。
【０１７０】
または、周期的ＣＳＩ−ＲＳ及び／またはＣＳＩ−ＩＭに基づいたＣＳＩ、半−持続的ＣＳＩ−ＲＳ及び／またはＣＳＩ−ＩＭに基づいたＣＳＩ、非周期的ＣＳＩ−ＲＳ及び／またはＣＳＩ−ＩＭに基づいたＣＳＩ順に優先順位が決定されうる。
【０１７１】
例示４）
【０１７２】
ＣＳＩ処理ユニットの占有に対する優先順位は、時間領域上での測定動作（ｔｉｍｅ  ｄｏｍａｉｎ  ｍｅａｓｕｒｅｍｅｎｔ  ｂｅｈａｖｉｏｒ）に基づいて決定されることができる。
【０１７３】
例えば、ＣＳＩ測定と関連した制限、すなわち、測定制限（ｍｅａｓｕｒｅｍｅｎｔ  ｒｅｓｔｒｉｃｔｉｏｎ）の設定有無によってＣＳＩ処理ユニットの占有に対する優先順位が決定されることができる。
【０１７４】
端末が前記測定制限がオン（ＯＮ）になるにつれて、特定時間に受信したＣＳＩ−ＲＳ及び／またはＣＳＩ−ＩＭを測定してＣＳＩを生成する場合、該当ＣＳＩは、測定制限がオフ（ＯＦＦ）になって測定されたＣＳＩより優先してＣＳＩ処理ユニットを占有するように設定されることができる。このような優先順位は、ＣＳＩ処理ユニットの占有に対する優先順位だけでなく、上述したＣＳＩ衝突（ＣＳＩ  ｃｏｌｌｉｓｉｏｎ）規則にも拡張して適用されることができる。
【０１７５】
または、端末が前記測定制限がオフになった状態でＣＳＩを生成する場合、該当ＣＳＩは、測定制限がオン（ＯＮ）になって測定されたＣＳＩより優先してＣＳＩ処理ユニットを占有するように設定されることができる。
【０１７６】
例示５）
【０１７７】
ＣＳＩ処理ユニットの占有に対する優先順位は、上述したＺ値及び／またはＺ’値に基づいて決定されることができる。ここで、Ｚは、非周期的ＣＳＩ報告だけに関連したものであって、端末がＣＳＩ報告をスケジューリングするＤＣＩを受信した時点から実際ＣＳＩ報告を行う時点までの最小時間（または、時間ギャップ（ｇａｐ））を意味できる。また、Ｚ’は、端末がＣＳＩ報告と関連した測定資源（すなわち、ＣＭＲ、ＩＭＲ）（例：ＣＳＩ−ＲＳ等）を受信した時点から実際ＣＳＩ報告を行う時点までの最小時間（または、時間ギャップ）を意味できる。
【０１７８】
各ＣＳＩ別にサブキャリア間隔（ｓｕｂｃａｒｒｉｅｒ  ｓｐａｃｉｎｇ、ＳＣＳ）及び遅延関連設定が異なることができ、これによりＣＳＩ別にＺ値及び／またはＺ’値が異なって設定されることができる。
【０１７９】
例えば、端末にスケジューリングされたＮ個のＣＳＩ報告のうち、Ｍ個（すなわち、ＣＳＩ処理ユニットに配分されるＭ個のＣＳＩ報告）を選択する時、Ｚ値及び／またはＺ’値が小さなＣＳＩを優先してＣＳＩ処理ユニットを占有するように設定できる（以下、例示５−１））。Ｚ値及び／またはＺ’値が小さなＣＳＩ報告は、ＣＳＩ処理ユニットを短い時間占有し、以後新しいＣＳＩを算出するのに該当ＣＳＩ処理ユニットが利用されることができるので効率的でありうる。
【０１８０】
一般に、サブキャリア間隔が小さいほど、Ｚ値及び／またはＺ’値が小さいので、サブキャリア間隔が小さなＣＳＩがＣＳＩ処理ユニット占有側面で優先順位が高くありうる。また、遅延が低いほどＺ値及び／またはＺ’値が小さいので、遅延が低いＣＳＩがＣＳＩ処理ユニット占有側面で優先順位が高くありうる。また、遅延を比較してＣＳＩ処理ユニットの占有順序を決定し、遅延が同じ場合、サブキャリア間隔が小さな順にＣＳＩ処理ユニットを占有するように設定することもできる。反対に、サブキャリア間隔を比較してＣＳＩ処理ユニットの占有順序を決定し、サブキャリア間隔が同じ場合、遅延が低い順にＣＳＩ処理ユニットを占有するように設定することもできる。
【０１８１】
他の例として、端末にスケジューリングされたＮ個のＣＳＩ報告のうち、Ｍ個（すなわち、ＣＳＩ処理ユニットに配分されるＭ個のＣＳＩ報告）を選択する時、Ｚ値及び／またはＺ’値が大きなＣＳＩを優先してＣＳＩ処理ユニットを占有するように設定できる（以下、例示５−２））。Ｚ値及び／またはＺ’値が大きなＣＳＩ報告は、ＣＳＩ処理ユニットを長い時間占有するが、該当ＣＳＩは、より正確でかつ多くのチャネル情報を有する点で算出時間が長いとしても、より重要なＣＳＩと仮定できる。
【０１８２】
上述した例示５）と関連して、例示５−１と例示５−２が一定条件によって選択的に適用する方法が考慮されうる。
【０１８３】
まず、端末は、Ｚ値が大きなＣＳＩを優先してＭ個のＣＳＩを選択する。万一、スケジューラによって与えられた処理時間（ｐｒｏｃｅｓｓｉｎｇ  ｔｉｍｅ）よりＺ値がより大きいからＣＳＩ算出ができない場合が発生すると、端末は、Ｚ値が小さなＣＳＩがＣＳＩ処理ユニットを優先的に占有することとＭ個のＣＳＩを選択できる。そうでない場合、端末は、Ｚ値が大きなＣＳＩがＣＳＩ処理ユニットを優先的に占有することでＭ個のＣＳＩを選択できる。ここで、前記処理時間は、ＣＳＩ報告のトリガーリング時点から実際ＣＳＩ報告を行うまでの時間、ＣＳＩ参照資源（ＣＳＩ  ｒｅｆｅｒｅｎｃｅ  ｒｅｓｏｕｒｃｅ）から実際ＣＳＩ報告を行うまでの時間、または、ＣＳＩ−ＲＳ及び／またはＣＳＩ−ＩＭの最後のシンボルから実際ＣＳＩ報告を行うまでの時間を意味できる。
【０１８４】
または、端末は、Ｎ個のＣＳＩのうち、与えられた処理時間（ｐｒｏｃｅｓｓｉｎｇ  ｔｉｍｅ）を満たすＣＳＩを決定した後、決定されたＣＳＩを有効ＣＳＩ集合（ｖａｌｉｄ  ＣＳＩ  ｓｅｔ）に設定し、設定された有効ＣＳＩ集合内でＺ値が大きなＭ個のＣＳＩを優先して選択できる。または、設定された有効ＣＳＩ集合内でＺ値が小さなＭ個のＣＳＩを優先して選択することもできる。有効ＣＳＩ集合に含まれないＣＳＩは、算出または報告されないＣＳＩであるから、端末は、Ｎ個のＣＳＩのうち、算出または報告されないＣＳＩを競争対象から除外させることが効果的でありうる。
【０１８５】
例示６）
【０１８６】
ＣＳＩ処理ユニットの占有に対する優先順位は、ＣＲＩ（ＣＳＩ−ＲＳ  Ｒｅｓｏｕｒｃｅ  Ｉｎｄｉｃａｔｏｒ）の報告有無に基づいて決定されることができる。
【０１８７】
ＣＲＩが共に報告されるＣＳＩの場合（すなわち、ＣＳＩ  ｒｅｐｏｒｔｉｎｇ  ｑｕａｎｔｉｔｙにＣＲＩが含まれる場合）、該当ＣＳＩが一つのＣＳＩであっても、測定に利用されるＣＳＩ−ＲＳの数分だけＣＳＩ処理ユニットが占有されうる。例えば、端末が８個のＣＳＩ−ＲＳを利用してチャネル測定を行って、その中で一つを選択するＣＲＩを報告する場合、８個のＣＳＩ処理ユニットが占有される。この場合、単独ＣＳＩが多い数のＣＳＩ処理ユニットを占有するようになるという問題が発生できる。これを解決するために、ＣＳＩ処理ユニットの占有に対する競争が発生した状況で、ＣＲＩが共に報告されるＣＳＩの優先順位は、そうでないＣＳＩより低く設定されることができる。
【０１８８】
または、ＣＲＩが共に報告されるＣＳＩの優先順位は、そうでないＣＳＩより高く設定されることもできる。これは、ＣＲＩが共に報告されるＣＳＩは、そうでないＣＳＩより多い量のチャネル情報を有しているので、より重要でありうる。
【０１８９】
また、上述した例示１）ないし６）は、上述したＣＳＩ衝突と関連した優先順位規則と結合されて、ＣＳＩ処理ユニットの占有に対する優先順位を決定するのに利用されることができる。
【０１９０】
例えば、ＣＳＩ処理ユニットの占有と関連して、前記例示１は、上述したＲｕｌｅｓ  ＃１ないし＃４より優先してまず適用されることができる。これは、遅延が低いＣＳＩ（報告）を最優先して、ＣＳＵ処理ユニットの占有規則を適用し、遅延が同じ場合には、上述したＣＳＩ衝突と関連した優先順位規則に従ってＣＳＩ処理ユニットの占有に対する優先順位が決定されることを意味できる。または、例示１は、Ｒｕｌｅ＃１適用後に適用されることができ、その次にＲｕｌｅｓ＃２ないし＃４が順次に適用されることができる。または、例示１は、Ｒｕｌｅｓ＃１及び＃２適用後に適用されることができ、その次にＲｕｌｅｓ＃３及び＃４が順次に適用されることもできる。
【０１９１】
上述した例示１）ないし６）は、特定時点（例：ｎ番目のＯＦＤＭシンボル）において既に以前からＣＳＩ処理ユニットを占有していたＣＳＩ（または、ＣＳＩ報告）（以下、以前の（ｐｒｉｏｒ）ＣＳＩ）は維持し、前記特定時点においてＣＳＩ処理ユニットの占有を始めようとするＣＳＩ（以下、以後の（ｐｏｓｔ）ＣＳＩ）間の競争及び優先順位に対して説明された。これを拡張して、上述した例示１）ないし５）は、特定時点において既に以前からＣＳＩ処理ユニットを占有していたＣＳＩとＣＳＩ処理ユニットを占有しようとする新しいＣＳＩ間の競争及び優先順位にも適用されることができる。
【０１９２】
もちろん、特定時点においてＭ個以下のＣＳＩがＣＳＩ処理ユニットの占有を始めようとする場合には、競争無しですべてのＣＳＩがＣＳＩ処理ユニットを占有できる。ただし、Ｍ個を超過するＣＳＩがＣＳＩ処理ユニットの占有を始めようとする場合には、既にＣＳＩ処理ユニットを占有しているＸ−Ｍ個のＣＳＩと占有を始めようとするＮ個のＣＳＩが競争できる。このとき、前記競争は、次のような２個の方式のうち、いずれか一つによって行われうる。
【０１９３】
第１の方式は、Ｘ−Ｍ個のＣＳＩと占有を始めようとするＮ個のＣＳＩが公平に再度競争する方式である。以前のＣＳＩは、既にＣＳＩ処理ユニットを占有した既得権を有したＣＳＩであるが、これに対する有利な条件（ａｄｖａｎｔａｇｅ）無しでＮ個の以後のＣＳＩと再度競争するように設定される。
【０１９４】
第２の方式は、以後のＣＳＩ間にまず競争し、競争に負けた以後のＣＳＩに以前のＣＳＩと競争できる機会をあたえる方式である。すなわち、競争に負けた以後のＣＳＩと以前のＣＳＩは、特定規則によって再度競争するように設定されることができる。その結果、以後のＣＳＩが優先する場合、以前のＣＳＩにより占有されたＣＳＩ処理ユニットは、以後のＣＳＩのために利用されることができる。
【０１９５】
特定規則を適用して以後のＣＳＩが以前のＣＳＩより優先順位が高い場合、以前のＣＳＩは、ＣＳＩ処理ユニットの占有を以後のＣＳＩに移すようになり、該当ＣＳＩ処理ユニットは、以後のＣＳＩ算出に利用される。この場合、以前のＣＳＩは、算出が完了しない状態でありうる。したがって、該当ＣＳＩに対した報告に対しては、最近に算出または報告されたＣＳＩを再報告するよう定義（または約束）したり、予め設定された特定ＣＳＩ値を報告するように定義（または約束）したり、報告しないように定義（または約束）する方式が考慮されうる。
【０１９６】
例えば、以後のＣＳＩと以前のＣＳＩとの間の競争時に、上述した例示２）を適用する場合を仮定しよう。
【０１９７】
以後のＣＳＩのうち、以前のＣＳＩより占有が早く終了するＣＳＩが存在する場合、以後のＣＳＩが以前のＣＳＩにより占有されたＣＳＩ処理ユニットを奪うことができる。または、上述した例示１）が適用される場合には、低い遅延の以後のＣＳＩが高い遅延の以前のＣＳＩにより占有されたＣＳＩ処理ユニットを奪うことができる。
【０１９８】
また、先に言及したように、周期的及び／または半−持続的ＣＳＩ−ＲＳに基づいたチャネル測定を介して算出されるＣＳＩは、ＣＳＩ処理ユニットを常に占有するように設定されることができる。この場合に限定して、以前のＣＳＩと以後のＣＳＩ間の競争を許容し、優先順位によってＣＳＩ処理ユニットが再分配されるように設定する方式が考慮されうる。また、周期的及び／または半−持続的ＣＳＩ−ＲＳに基づいたチャネル測定を介して算出される以前のＣＳＩは、以後のＣＳＩと競争しなくて、独占的にＣＳＩ処理ユニットを占有するように設定する方式も考慮されうる。この場合、残りのＣＳＩと以後のＣＳＩとの間の競争は許容されうる。
【０１９９】
また、先に言及したように、Ｔｙｐｅ  Ａ  ＣＳＩ処理能力の場合、ＰＵＳＣＨの第１番目のシンボルと非周期的ＣＳＩ−ＲＳ／非周期的ＣＳＩ−ＩＭと関連した最後のシンボル間の時間ギャップ（ｔｉｍｅ  ｇａｐ）が
2020532922.tif 000055
によるＣＳＩ算出時間が充分でないと、端末は、トリガーされたＣＳＩ報告のうち、いずれか一つにアップデートすると予想されないことがありうる。このとき、占有されないＭ個のＣＳＩ処理ユニットと関連して、端末にスケジューリングされたＮ個のＣＳＩ（報告）のうち、ＣＳＩ処理ユニットに配分されるＭ個のＣＳＩ（報告）を選択する方式が考慮される必要がある。
【０２００】
これと関連して、前記Ｍ個を選択するための方式として、本明細書で提案する例示１）ないし６）及びＣＳＩ衝突と関連した優先順位規則が利用されることができる。
【０２０１】
また、前記Ｍ個を選択するための方式で、前記Ｎ個のＣＳＩのうち、Ｚ＿ＴＯＴ及び／またはＺ’＿ＴＯＴを最も小さくするＭ個を選択するように設定することもできる。ここで、Ｚ＿ＴＯＴ及び／またはＺ’＿ＴＯＴは、端末が報告（またはアップデート）するＣＳＩ報告に対するＺ値を合算した値及び／またはＺ’値を合算した値を意味できる。Ｚ’＿ＴＯＴを最も小さくするＭ個のＣＳＩ（集合）とＺ＿ＴＯＴを最も小さくするＭ個のＣＳＩ（集合）が異なる場合、二つのうち一つを最終的に選択できる。または、前記Ｎ個のＣＳＩのうち、Ｚ＿ＴＯＴ及び／またはＺ’＿ＴＯＴを最も大きくするＭ個を選択するように設定することもできる。
【０２０２】
また、前記Ｍ個を選択するための方式で、前記Ｎ個のＣＳＩのうち、ＣＳＩ報告と関連した非周期的ＣＳＩ−ＲＳ及び／または非周期的ＣＳＩ−ＩＭの最後のシンボルが最も早い時点に受信されるようにするＭ個を選択するように設定できる。または、前記Ｎ個のＣＳＩのうち、ＣＳＩ報告と関連した非周期的ＣＳＩ−ＲＳ及び／または非周期的ＣＳＩ−ＩＭの最後のシンボルが最も遅い時点に受信されるようにするＭ個を選択するように設定することもできる。
【０２０３】
例えば、Ｎは、３であり、ＣＳＩ  １に対した非周期的ＣＳＩ−ＲＳ及び／または非周期的ＣＳＩ−ＩＭの最後のシンボルがｋ番目のスロット（ｓｌｏｔ）の第５番目のシンボルに位置し、ＣＳＩ  ２に対した非周期的ＣＳＩ−ＲＳ及び／または非周期的ＣＳＩ−ＩＭの最後のシンボルが第ｋ−１番目のスロットの第５番目のシンボルに位置し、ＣＳＩ  ３に対した非周期的ＣＳＩ−ＲＳ及び／または非周期的ＣＳＩ−ＩＭの最後のシンボルが第ｋ番目のスロットの第６番目のシンボルに位置する場合を仮定しよう。このとき、Ｍが２に設定される場合、ＣＳＩ  １とＣＳＩ  ２がＣＳＩ処理ユニットを占有することと選択されることができる。これは、ＣＳＩ  ３を選択する瞬間、非周期的ＣＳＩ−ＲＳ及び／または非周期的ＣＳＩ−ＩＭの最後のシンボルが第ｋ番目のスロットの第６番目のシンボルに位置して、該当ＣＳＩ−ＲＳ及び／またはＣＳＩ−ＩＭの受信時点が遅くなるためである。
【０２０４】
上述した例示に基づいて、基地局により端末に設定及び／または指示されたＣＳＩ報告は、該当端末が支援するＣＳＩ処理ユニットに配分及び／または占有されうる。
【０２０５】
図７は、本明細書の一部実施形態によるチャネル状態情報（ｃｈａｎｎｅｌ  ｓｔａｔｅ  ｉｎｆｏｒｍａｔｉｏｎ）報告を行う端末の動作フローチャートの一例を示す。図７は、ただ説明の便宜のためのものに過ぎず、本明細書の範囲を制限するものではない。
【０２０６】
図７を参考すると、端末は、ＣＳＩ報告遂行及び／またはＣＳＩ算出のための一つ以上のＣＳＩ処理ユニットを支援する場合が仮定される。
【０２０７】
端末は、基地局から（一つ以上の）ＣＳＩ報告のためのＣＳＩ−ＲＳ（Ｃｈａｎｎｅｌ  ｓｔａｔｅ  ｉｎｆｏｒｍａｔｉｏｎ−Ｒｅｆｅｒｅｎｃｅ  Ｓｉｇｎａｌ）を受信することができる（Ｓ７０５）。一例として、前記ＣＳＩ−ＲＳは、ＮＺＰ（Ｎｏｎ−Ｚｅｒｏ−Ｐｏｗｅｒ）ＣＳＩ−ＲＳ及び／またはＺＰ（Ｚｅｒｏ−Ｐｏｗｅｒ）ＣＳＩ−ＲＳでありうる。また、干渉測定の場合、前記ＣＳＩ−ＲＳは、ＣＳＩ−ＩＭに代替されうる。
【０２０８】
端末は、前記ＣＳＩ−ＲＳに基づいて算出されたＣＳＩを基地局に送信できる（Ｓ７１０）。
【０２０９】
このとき、前記端末に設定されたＣＳＩ報告の数が前記端末により占有されないＣＳＩ処理ユニットの数より多い場合、前記ＣＳＩの算出は、予め決定された優先順位によって行われうる。ここで、前記予め決定された優先順位は、本明細書で上述した例示１）ないし６）などのように設定及び／または定義されうる。
【０２１０】
例えば、前記予め設定された優先順位は、前記ＣＳＩに対した処理時間（ｐｒｏｃｅｓｓｉｎｇ  ｔｉｍｅ）に基づいて設定されることができる。前記処理時間は、ｉ）前記ＣＳＩ報告のトリガーリング（ｔｒｉｇｇｅｒｉｎｇ）時点から前記ＣＳＩ報告の遂行時点までの時間である第１処理時間（例：上述したＺ）またはｉｉ）前記ＣＳＩ−ＲＳの受信時点から前記ＣＳＩ報告の遂行時点までの時間である第２処理時間でありうる（例：上述したＺ’）。
【０２１１】
また、前記端末により占有されないＣＳＩ処理ユニットの数がＭである場合、前記端末に設定された一つ以上のＣＳＩ報告のうち、前記第１処理時間の合計または前記第２処理時間の合計を最小にするＭ個のＣＳＩ報告がＭ個のＣＳＩ処理ユニットに割り当てられることができる。
【０２１２】
また、前記端末により占有されないＣＳＩ処理ユニットは、前記端末に対して設定された一つ以上のＣＳＩ報告のうち、前記第１処理時間または前記第２処理時間を満たすＣＳＩに対して割り当てられることができる。
【０２１３】
他の例として、前記予め設定された優先順位は、前記ＣＳＩに対した遅延要求事項（ｌａｔｅｎｃｙ  ｒｅｑｕｉｒｅｍｅｎｔ）に基づいて設定されることができる。
【０２１４】
さらに他の例として、前記予め設定された優先順位は、前記ＣＳＩ−ＲＳの時間領域上の動作類型に基づいて設定され、前記時間領域上の動作（ｔｉｍｅ  ｄｏｍａｉｎ  ｂｅｈａｖｉｏｒ）類型は、周期的（ｐｅｒｉｏｄｉｃ）、半−持続的（ｓｅｍｉ−ｐｅｒｓｉｓｔｅｎｔ）、または非周期的（ａｐｅｒｉｏｄｉｃ）のうち、一つでありうる。
【０２１５】
さらに他の例として、前記予め設定された優先順位は、前記ＣＳＩの算出に対する測定制限（ｍｅａｓｕｒｅｍｅｎｔ  ｒｅｓｔｒｉｃｔｉｏｎ）の設定有無（例：オン（ＯＮ）またはオフ（ＯＦＦ））に基づいて設定されることができる。
【０２１６】
さらに他の例として、前記ＣＳＩ−ＲＳが非周期的（ａｐｅｒｉｏｄｉｃ）ＣＳＩ−ＲＳの場合、前記予め設定された優先順位は、前記ＣＳＩ−ＲＳの最後のシンボル（ｌａｓｔ  ｓｙｍｂｏｌ）の時点に基づいて設定されることができる。
【０２１７】
これと関連して、具現的な側面において、上述した端末の動作は、本明細書の図１３及び図１４に示した端末装置１３２０、１４２０により具体的に具現されることができる。例えば、上述した端末の動作は、プロセッサ１３２１、１４２１及び／またはＲＦ（Ｒａｄｉｏ  Ｆｒｅｑｕｅｎｃｙ）ユニット（またはモジュール）１３２３、１４２５により行われうる。
【０２１８】
無線通信システムにおいてデータチャネル（例：ＰＤＳＣＨ）を受信する端末は、無線信号を送信するための送信部（ｔｒａｎｓｍｉｔｔｅｒ）、無線信号を受信するための受信部（ｒｅｃｅｉｖｅｒ）及び前記送信部及び受信部と機能的に接続されるプロセッサを含むことができる。ここで、前記送信部及び前記受信部（または送受信部）は、無線信号を送受信するためのＲＦユニット（またはモジュール）と称されうる。
【０２１９】
例えば、プロセッサは、基地局から（一つ以上の）ＣＳＩ報告のためのＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）を受信するようにＲＦユニットを制御できる。また、プロセッサは、前記ＣＳＩ−ＲＳに基づいて算出されたＣＳＩを基地局に送信するようにＲＦユニットを制御できる。
【０２２０】
図８は、本明細書の一部実施形態によるチャネル状態情報（ｃｈａｎｎｅｌ  ｓｔａｔｅ  ｉｎｆｏｒｍａｔｉｏｎ）報告を受信する基地局の動作フローチャートの一例を示す。図８は、ただ説明の便宜のためのものに過ぎず、本明細書の範囲を制限するものではない。
【０２２１】
図８を参考すると、端末は、ＣＳＩ報告遂行及び／またはＣＳＩ算出のための一つ以上のＣＳＩ処理ユニットを支援する場合が仮定される。
【０２２２】
基地局は、端末に（一つ以上の）ＣＳＩ報告のためのＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）を送信できる（Ｓ８０５）。一例として、前記ＣＳＩ−ＲＳは、ＮＺＰ（Ｎｏｎ−Ｚｅｒｏ−Ｐｏｗｅｒ）ＣＳＩ−ＲＳ及び／またはＺＰ（Ｚｅｒｏ−Ｐｏｗｅｒ）ＣＳＩ−ＲＳでありうる。また、干渉測定の場合、前記ＣＳＩ−ＲＳは、ＣＳＩ−ＩＭに代替できる。
【０２２３】
基地局は、前記ＣＳＩ−ＲＳに基づいて算出されたＣＳＩを端末から受信することができる（Ｓ８１０）。
【０２２４】
このとき、前記端末に設定されたＣＳＩ報告の数が前記端末により占有されないＣＳＩ処理ユニットの数より多くの場合、前記ＣＳＩの算出は、予め決定された優先順位によって行われうる。ここで、前記予め決定された優先順位は、本明細書で上述した例示１）ないし６）などのように設定及び／または定義されうる。
【０２２５】
例えば、前記予め設定された優先順位は、前記ＣＳＩに対した処理時間（ｐｒｏｃｅｓｓｉｎｇ  ｔｉｍｅ）に基づいて設定されることができる。前記処理時間は、ｉ）前記ＣＳＩ報告のトリガーリング（ｔｒｉｇｇｅｒｉｎｇ）時点から前記ＣＳＩ報告の遂行時点までの時間である第１処理時間（例：上述したＺ）または、ｉｉ）前記ＣＳＩ−ＲＳの受信時点から前記ＣＳＩ報告の遂行時点までの時間である第２処理時間でありうる（例：上述したＺ’）。
【０２２６】
また、前記端末により占有されないＣＳＩ処理ユニットの数がＭである場合、前記端末に設定された一つ以上のＣＳＩ報告のうち、前記第１処理時間の合計または前記第２処理時間の合計を最小にするＭ個のＣＳＩ報告がＭ個のＣＳＩ処理ユニットに割り当てられることができる。
【０２２７】
また、前記端末により占有されないＣＳＩ処理ユニットは、前記端末に対して設定された一つ以上のＣＳＩ報告のうち、前記第１処理時間または前記第２処理時間を満たすＣＳＩに対して割り当てられることができる。
【０２２８】
他の例として、前記予め設定された優先順位は、前記ＣＳＩに対した遅延要求事項（ｌａｔｅｎｃｙ  ｒｅｑｕｉｒｅｍｅｎｔ）に基づいて設定されることができる。
【０２２９】
さらに他の例として、前記予め設定された優先順位は、前記ＣＳＩ−ＲＳの時間領域上の動作類型に基づいて設定され、前記時間領域上の動作（ｔｉｍｅ  ｄｏｍａｉｎ  ｂｅｈａｖｉｏｒ）類型は、周期的（ｐｅｒｉｏｄｉｃ）、半−持続的（ｓｅｍｉ−ｐｅｒｓｉｓｔｅｎｔ）、または非周期的（ａｐｅｒｉｏｄｉｃ）のうち、一つでありうる。
【０２３０】
さらに他の例として、前記予め設定された優先順位は、前記ＣＳＩの算出に対する測定制限（ｍｅａｓｕｒｅｍｅｎｔ  ｒｅｓｔｒｉｃｔｉｏｎ）の設定有無（例：オン（ＯＮ）またはオフ（ＯＦＦ））に基づいて設定されることができる。
【０２３１】
さらに他の例として、前記ＣＳＩ−ＲＳが非周期的（ａｐｅｒｉｏｄｉｃ）ＣＳＩ−ＲＳである場合、前記予め設定された優先順位は、前記ＣＳＩ−ＲＳの最後のシンボル（ｌａｓｔ  ｓｙｍｂｏｌ）の時点に基づいて設定されることができる。
【０２３２】
これと関連して、具現的な側面において、上述した基地局の動作は、本明細書の図１３及び図１４に示した基地局装置１３１０、１４１０により具体的に具現されることができる。例えば、上述した基地局の動作は、プロセッサ１３１１、１４１１及び／またはＲＦ（Ｒａｄｉｏ  Ｆｒｅｑｕｅｎｃｙ）ユニット（またはモジュール）１３１３、１４１５により行われうる。
【０２３３】
無線通信システムにおけるデータチャネル（例：ＰＤＳＣＨ）を送信する基地局は、無線信号を送信するための送信部（ｔｒａｎｓｍｉｔｔｅｒ）、無線信号を受信するための受信部（ｒｅｃｅｉｖｅｒ）及び前記送信部及び受信部と機能的に接続されるプロセッサを含むことができる。ここで、前記送信部及び前記受信部（または、送受信部）は、無線信号を送受信するためのＲＦユニット（またはモジュール）と称されうる。
【０２３４】
例えば、プロセッサは、端末に（一つ以上の）ＣＳＩ報告のためのＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）を送信するように、ＲＦユニットを制御できる。また、プロセッサは、前記ＣＳＩ−ＲＳに基づいて算出されたＣＳＩを端末から受信するようにＲＦユニットを制御できる。
【０２３５】
（第２の実施形態）
【０２３６】
本実施形態では、上述したＣＳＩ報告だけでなく、ビーム管理及び／またはビーム報告と関連したＣＳＩ報告（例：Ｌ１−ＲＳＲＰ報告（Ｌａｙｅｒ１−Ｒｅｆｅｒｅｎｃｅ  Ｓｉｇｎａｌ  Ｒｅｃｅｉｖｅｄ  Ｐｏｗｅｒ  ｒｅｐｏｒｔｉｎｇ））と関連して、上述したＺ値を設定及び／または決定する方法に対する例示を説明する。ここで、Ｚ値は、先に言及したように非周期的ＣＳＩ報告と関連したもので、端末がＣＳＩ報告をスケジューリングするＤＣＩを受信した時点から実際ＣＳＩ報告を行う時点までの最小時間（または、時間ギャップ（ｇａｐ））を意味できる。
【０２３７】
本実施形態では、Ｌ１−ＲＳＲＰ報告の場合を基準として説明されるが、これは、説明の便宜のためのものに過ぎず、本実施形態で説明される例示は、ビーム管理及び／またはビーム報告と関連したＣＳＩ報告（すなわち、ビーム管理及び／またはビーム報告用途として設定されたＣＳＩ報告）に対して適用されることができる。また、ビーム管理及び／またはビーム報告と関連したＣＳＩ報告は、報告情報（例：ｒｅｐｏｒｔ（ｉｎｇ）ｑｕａｎｔｉｔｙ、ｒｅｐｏｒｔ（ｉｎｇ）  ｃｏｎｔｅｎｔｓなど）は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）及びＲＳＲＰ、または、ｉｉｉ）報告しない（例：ｎｏ  ｒｅｐｏｒｔ、ｎｏｎｅ）のうち、少なくとも一つに設定されるＣＳＩ報告を意味することでありうる。
【０２３８】
上述したような（一般的な）ＣＳＩ報告だけでなく、Ｌ１−ＲＳＲＰ報告の場合にも上述したＺ値及び／またはＺ’値を利用して端末に必要な最小限の（要求）時間（すなわち、ＣＳＩ算出時間と関連した最小要求時間）が定義されうる。基地局が該当時間より小さな時間をスケジューリングした場合、端末は、Ｌ１−ＲＳＲＰトリガーリングＤＣＩを無視したり、有効なＬ１−ＲＳＲＰ値を基地局に報告しないこともありうる。
【０２３９】
以下、本実施形態では、ｉ）非周期的Ｌ１−ＲＳＲＰトリガーリングＤＣＩと報告時間（ｒｅｐｏｒｔｉｎｇ  ｔｉｍｅ）（すなわち、Ｌ１−ＲＳＲＰ報告時間）の間にＬ１−ＲＳＲＰ算出に利用されるＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）及び／またはＳＳＢ（Ｓｙｎｃｈｒｏｎｉｚａｔｉｏｎ  Ｓｉｇｎａｌ  Ｂｌｏｃｋ）が存在する場合、及びｉｉ）非周期的トリガーリングＤＣＩ前にＣＳＩ−ＲＳ及び／またはＳＳＢが存在する場合に対して説明し、Ｌ１−ＲＳＲＰと関連してＺ値を設定する方法を提案する。
【０２４０】
ここで、非周期的Ｌ１−ＲＳＲＰトリガーリングＤＣＩは、非周期的Ｌ１−ＲＳＲＰ報告をトリガーリングするためのＤＣＩを意味し、Ｌ１−ＲＳＲＰ算出に利用されるＣＳＩ−ＲＳは、Ｌ１−ＲＳＲＰ報告に利用されるＣＳＩの算出のために利用されるＣＳＩ−ＲＳを意味できる。
【０２４１】
図９は、無線通信システムにおけるＬ１−ＲＳＲＰ報告動作の一例を示す。図９は、ただ説明の便宜のためのものに過ぎず、本発明の範囲を制限するものではない。
【０２４２】
図９を参考すると、非周期的Ｌ１−ＲＳＲＰトリガーリングＤＣＩが受信される時点とＬ１−ＲＳＲＰ報告時点との間にＬ１−ＲＳＲＰ算出に利用されるＣＳＩ−ＲＳ及び／またはＳＳＢが存在する場合が仮定される。図９は、周期的（Ｐｅｒｉｏｄｉｃ、Ｐ）ＣＳＩ−ＲＳの場合を例示に説明されるが、非周期的及び／または半−持続的ＣＳＩ−ＲＳとＳＳＢにも拡張して適用されうることはもちろんである。
【０２４３】
図９において、４個のＣＳＩ−ＲＳは、４個のＯＦＤＭシンボル９０５にかけて送信されうるが、このような４個のＣＳＩ−ＲＳは、周期的に送信されることができる。
【０２４４】
Ｌ１−ＲＳＲＰの報告が少なくとも一つのＤＣＩを介して非周期的にトリガーリングされ、端末は、報告時点からＺ’以前の時間に存在するＣＳＩ−ＲＳ（ら）を利用してＬ１−ＲＳＲＰを算出でき、算出されたＣＳＩを基地局に報告されうる。
【０２４５】
図９の場合、端末は、Ｌ１−ＲＳＲＰ報告をトリガーリングするＤＣＩを受信し（９０５）、該当ＤＣＩにより指示及び／または設定された報告時点９１５からＺ’値（すなわち、上述した端末がＣＳＩ−ＲＳを受信してＣＳＩ算出まで要求される最小時間）以前に受信された（一つ以上の）ＣＳＩ−ＲＳを利用して、Ｌ１−ＲＳＲＰ報告に利用されるＣＳＩを算出できる。
【０２４６】
図１０は、無線通信システムにおけるＬ１−ＲＳＲＰ報告動作の他の例を示す。図１０は、ただ説明の便宜のためのものに過ぎず、本発明の範囲を制限するものではない。
【０２４７】
図１０を参考すると、非周期的Ｌ１−ＲＳＲＰトリガーリングＤＣＩが受信される時点とＬ１−ＲＳＲＰ報告時点との間にＬ１−ＲＳＲＰ算出に利用されるＣＳＩ−ＲＳ及び／またはＳＳＢが存在せず、非周期的Ｌ１−ＲＳＲＰトリガーリングＤＣＩ以前にＣＳＩ−ＲＳ及び／またはＳＳＢが存在する場合が仮定される。図１０は、周期的（Ｐｅｒｉｏｄｉｃ、Ｐ）ＣＳＩ−ＲＳである場合を例として説明されるが、非周期的及び／または半−持続的ＣＳＩ−ＲＳとＳＳＢにも拡張して適用されうることはもちろんである。
【０２４８】
図１０において、４個のＣＳＩ−ＲＳは、４個のＯＦＤＭシンボル１００５にかけて送信されることができ、このような４個のＣＳＩ−ＲＳは、周期的に送信されることができる。
【０２４９】
Ｌ１−ＲＳＲＰの報告が少なくとも一つのＤＣＩを介して非周期的にトリガーリングされ、端末は、報告時点からＺ’以前の時間に存在するＣＳＩ−ＲＳ（ら）を利用して、Ｌ１−ＲＳＲＰを算出でき、算出されたＣＳＩを基地局に報告されうる。
【０２５０】
図１０の場合、端末は、ＣＳＩ報告をトリガーリングするＤＣＩを受信するまで受信したＣＳＩ−ＲＳが報告されるかどうかについて分からないので、受信したＣＳＩ−ＲＳに基づいた測定が報告される可能性があることに基づいて測定されたチャネル及び／またはチャネル情報（例：Ｌ１−ＲＳＲＰ値）を格納する必要がありうる。この場合、ＣＳＩ報告有無が確実になる時間であるＤＣＩのデコード完了時点まで、端末は、上述した情報を格納しなければならない。これは、追加的なメモリを要求するので、端末値が上昇するという短所がありうる。
【０２５１】
したがって、図９のように非周期的Ｌ１−ＲＳＲＰトリガーリングＤＣＩとＬ１−ＲＳＲＰ報告時点の間にＬ１−ＲＳＲＰ算出に利用されるＣＳＩ−ＲＳ及び／またはＳＳＢが存在するようにスケジューリングを制限する方法が考慮されうる。この場合、Ｚ値（すなわち、端末の（非周期的）ＣＳＩ報告のための最小要求時間）は、Ｚ’値より大きくなり、Ｚ’値とＣＳＩ−ＲＳ及び／またはＳＳＢが送信されるシンボル数の合計と同一であるか、または大きく決定されることができる。
【０２５２】
ＣＳＩ−ＲＳの場合、１４シンボル以下において送信されるので、Ｚ値が大きく増加されないが、ＳＳＢの場合には、複数のスロット（ｓｌｏｔ）にかけて（例：５ｍｓ）送信されるので、ｚ値が大きく設定されることができる。Ｚ値が大きくなる場合、ＣＳＩ報告をトリガーリングした時点から実際ＣＳＩ報告が行われるまでの遅延（ｄｅｌａｙ）が大きくなるので、非効率的でありうる。
【０２５３】
このような点を考慮して、Ｚ値を決定する時、次のような例示が考慮されうる。
【０２５４】
例示１）
【０２５５】
ＣＳＩ−ＲＳに基づいたＣＳＩ報告の場合には、非周期的Ｌ１−ＲＳＲＰトリガーリングＤＣＩと報告時点との間にＬ１−ＲＳＲＰ算出のために利用されるＣＳＩ−ＲＳ及び／またはＳＳＢが存在することを仮定して（例：図９の場合）（Ｚ’値より）、Ｚ値を大きな値で定義するように設定できる。また、ＳＳＢに基づいたＣＳＩ報告の場合には、非周期的Ｌ１−ＲＳＲＰトリガーリングＤＣＩ以前にＬ１−ＲＳＲＰ算出のために利用されるＣＳＩ−ＲＳ及び／またはＳＳＢが存在すると仮定して（例：図１０の場合）、Ｚ値をＣＳＩ−ＲＳに基づいたＣＳＩ報告の場合に利用されるＺ値より小さな値で定義するように設定できる。
【０２５６】
例示２）
【０２５７】
または、Ｌ１−ＲＳＲＰ算出に利用される資源の時間特性（すなわち、時間領域上の動作特性）（例：非周期的、周期的、半−持続的等）によって小さなＺ値を利用するかまたは大きなＺ値を利用するかが区分されうる。
【０２５８】
例えば、周期的特性または半−持続的特性を有するＣＳＩ−ＲＳ及び／またはＳＳＢの場合には、小さなＺ値を利用し、非周期的特性を有したＣＳＩ−ＲＳ（すなわち、非周期的ＣＳＩ−ＲＳ）の場合には、別に大きなＺ値を利用するように設定及び／または定義する方法が考慮されうる。
【０２５９】
例示３）
【０２６０】
ＣＳＩと関連した報告設定（例：ＣＳＩ  ｒｅｐｏｒｔ  ｓｅｔｔｉｎｇ）がビーム管理及び／またはビーム報告用途として設定され（すなわち、報告情報がｉ）ＣＲＩ及びＲＳＲＰ、ｉｉ）ＳＳＢ識別子及びＲＳＲＰ、ｉｉｉ）報告しないのうち、いずれか一つに設定される場合）、このために非周期的ＣＳＩ−ＲＳが利用される場合を仮定しよう。
【０２６１】
この場合、基地局は、端末が以前に端末能力情報（ｃａｐａｂｉｌｉｔｙ  ｉｎｆｏｒｍａｔｉｏｎ）として報告したトリガーリングＤＣＩと非周期的ＣＳＩ−ＲＳとの間に少なくとも最小時間（例：ｍ、ＫＢ）を基準に、該当最小時間以上にトリガーリングＤＣＩと非周期的ＣＳＩ−ＲＳを低下させて送信しなければならない必要がありうる。ここで、トリガーリングＤＣＩは、前記非周期的ＣＳＩ−ＲＳをトリガーリングする（または、スケジューリングする）ためのＤＣＩを意味する。すなわち、ｍ値は、ＤＣＩデコード時間を考慮して決定されることができる。換言すれば、基地局は、端末が報告したＣＳＩ−ＲＳ受信と関連したＤＣＩデコード時間（ｄｅｃｏｄｉｎｇ  ｔｉｍｅ）を考慮して、ＣＳＩ−ＲＳをスケジューリングする必要がありうる。
【０２６２】
また、上述したＣＳＩ−ＲＳ（例：周期的、半−持続的、または非周期的ＣＳＩ−ＲＳ）及び／またはＳＳＢを利用して非周期的Ｌ１−ＲＳＲＰを報告する場合、特定最小時間は、ＣＳＩ報告のために端末により要求されることができる（以下、Ｚ値と称される）。この場合、Ｚ値は、前記ｍ値を利用して決定されることができる。一例として、「Ｚ＝ｍ」に設定してＤＣＩのデコードが完了した以後に報告が行われるように保障することもできる。
【０２６３】
ただし、端末がＤＣＩを受信した時点からＣＳＩ報告を行う時点までの時間区間の間には、端末のためのＤＣＩデコード時間の他にもＬ１−ＲＳＲＰエンコーディング時間（ｅｎｃｏｄｉｎｇ  ｔｉｍｅ）及び端末の送信準備時間（Ｔｘ  ｐｒｅｐａｒａｔｉｏｎ  ｔｉｍｅ）などが追加的に必要でありうる。
【０２６４】
したがって、Ｚ値を前記ｍ値より大きく設定する必要がありうる。例えば、Ｚ値は、簡単では、ｍ＋ｃ（ここでＣは、常数、例：ｃ＝１）に設定されることができる。
【０２６５】
または、Ｚ値は、前記ｍ値とＺ’値の合計で決定されることもできる。例えば、端末のＣＳＩ報告のための最小要求時間であるＺ値は、Ｚ’値に非周期的ＣＳＩ−ＲＳをトリガーリングするＤＣＩのデコード時間を足した値に設定されることができる。具体的な例として、Ｚ値は、端末のＣＳＩ−ＲＳ受信最後の時点からＣＳＩ報告時点までの最小要求時間と該当ＣＳＩ−ＲＳをスケジューリングするＤＣＩに対したデコード時間に基づいて設定されることができる。
【０２６６】
本実施形態で説明される例示と関連して、Ｌ−ＲＳＲＰ報告に利用されるＣＳＩ処理ユニット（ＣＳＩ  Ｐｒｏｃｅｓｓｉｎｇ  Ｕｎｉｔ、ＣＰＵ）の数を設定する方法も考慮される必要がある。
【０２６７】
一般的なＣＳＩ報告の場合、ＣＳＩ報告に設定及び／または割り当てられたＣＳＩ−ＲＳ資源の数（すなわち、ＣＳＩ−ＲＳインデックスの数）によって占有される（または、利用／活用される）ＣＳＩ処理ユニットの数が変わることができる。例えば、ＣＳＩ−ＲＳの数が増加するほど、ＣＳＩ算出複雑度が増加でき、それによってＣＳＩ報告のために利用される処理ユニットの数が増加できる。これとは異なり、Ｌ１−ＲＳＲＰ報告に利用される（または設定される、占有される）ＣＳＩ処理ユニットの数は、１個に固定されうる。例えば、Ｌ１−ＲＳＲＰは、Ｎ個のＣＳＩ−ＲＳ資源またはＮ個のＳＳＢに対して、各々の受信電力を測定して算出されるが、一般的なＣＳＩ算出複雑度と比較して計算量が少ないから、１個のＣＳＩ処理ユニットでもＬ１−ＲＳＲＰが算出されうる。
【０２６８】
結果的に、一般的なＣＳＩ算出では、チャネル測定に利用されるＣＳＩ＿ＲＳ資源数分だけＣＳＩ処理ユニットが線形的に増加して利用されるが、Ｌ１−ＲＳＲＰ算出の場合、ＣＳＩ処理ユニットは、１個だけが利用されるように設定されることができる。
【０２６９】
または、Ｌ１−ＲＳＲＰ算出の場合にも利用されるＣＳＩ処理ユニットを固定させないで、ＣＳＩ−ＲＳ及び／またはＳＳＢの資源数によって非線形的にＣＳＩ処理ユニットの数を増加させる方法が利用されうる。例えば、端末が１６個以下のＣＳＩ−Ｒｓ資源を通じてＬ１−ＲＳＲＰ算出を行う場合には、ＣＳＩ処理ユニットの数を１個と仮定し、その他の場合に対してＬ１−ＲＳＲＰ算出を行う場合には、ＣＳＩ処理ユニットの数を２個と仮定するように設定する方法が考慮されうる。
【０２７０】
図１１は、本明細書の一部実施形態によるチャネル状態情報（Ｃｈａｎｎｅｌ  ｓｔａｔｅ  ｉｎｆｏｒｍａｔｉｏｎ）を報告する端末の動作フローチャートの一例を示す。図１１は、ただ説明の便宜のためのものに過ぎず、本発明の範囲を制限するものではない。
【０２７１】
図１１を参考すると、端末は、Ｌ１−ＲＳＲＰ報告を行うにおいて、上述した第２の実施形態で提案する例示を利用する場合が仮定される。特に、端末の能力情報として報告されるＺ値及び／またはＺ’値は、上述した第２の実施形態で提案する例示（例：第２の実施形態の例示３）等）に基づいて、決定及び／または設定されることができる。
【０２７２】
端末は、ＣＳＩ報告をトリガーリングするＤＣＩを（基地局から）受信することができる（Ｓ１１０５）。ここで、前記ＣＳＩ報告は、非周期的ＣＳＩ報告でありうる。
【０２７３】
また、前記ＣＳＩ報告は、ビーム管理及び／またはビーム報告用途のＣＳＩ報告でありうる。例えば、前記ＣＳＩ報告の報告情報は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）識別子及びＲＳＲＰ、または、ｉｉｉ）報告しない（ｎｏ  ｒｅｐｏｒｔ）のうち、いずれか一つでありうる。
【０２７４】
端末は、（基地局から）前記ＣＳＩ報告のための（すなわち、前記ＣＳＩ報告のために設定及び／または指示された）少なくとも一つのＣＳＩ−ＲＳを受信することができる（Ｓ１１１０）。例えば、前記ＣＳＩ−ＲＳは、上述した図９に示したように、前記ステップＳ１１０５でのＤＣＩ以後及び前記ＣＳＩ報告時点以前に受信されるＣＳＩ−ＲＳでありうる。
【０２７５】
端末は、前記ＣＳＩ−ＲＳに基づいて算出されたＣＳＩを基地局に送信できる（Ｓ１１１５）。例えば、端末は、前記ＣＳＩ−ＲＳに基づいて測定されたＬ１−ＲＳＲＰ報告を基地局に対して行うことができる。
【０２７６】
このとき、前記ＣＳＩ報告のための最小要求時間（例：上述した第２の実施形態の例示３）でのＺ値）は、ｉ）前記ＣＳＩ−ＲＳの最後の時点から前記ＣＳＩの送信時点までの最小要求時間（例：上述した第２の実施形態の例示３）でのＺ’値）及びｉｉ）前記ＣＳＩ−ＲＳをスケジューリングするＤＣＩに対したデコード時間上述した第２の実施形態の例示３でのｍ値）に基づいて設定されることができる。例えば、前記ＣＳＩ報告のための最小要求時間は、ｉ）前記ＣＳＩ−ＲＳの最後の時点から前記ＣＳＩの送信時点までの最小要求時間とｉｉ）前記ＣＳＩ−ＲＳをトリガーリングするＤＣＩと前記ＣＳＩ−ＲＳの送信間の最小要求時間（すなわち、前記ＣＳＩ−ＲＳをスケジューリングするＤＣＩに対したデコード時間）の合計で設定されることができる（例：Ｚ＝Ｚ’＋ｍ）。
【０２７７】
また、上述したように、前記ＣＳＩ−ＲＳの最後の時点から前記ＣＳＩの送信時点までの最小要求時間に対する情報は、前記端末により、端末能力情報（ＵＥ  ｃａｐａｂｉｌｉｔｙ  ｉｎｆｏｒｍａｔｉｏｎ））として前記基地局に報告されうる。
【０２７８】
また、上述したように、前記ＣＳＩ−ＲＳは、非周期的（ａｐｅｒｉｏｄｉｃ）に送信されるように設定され、すなわち、非周期的ＣＳＩ−ＲＳであり、前記ＣＳＩ−ＲＳをスケジューリングするＤＣＩは、前記ＣＳＩ−ＲＳに対するトリガーリング（ｔｒｉｇｇｅｒｉｎｇ）ＤＣＩでありうる。このとき、前記ＣＳＩ−ＲＳをトリガーリングするＤＣＩと前記ＣＳＩ−ＲＳの受信（または、送信）間の最小要求時間（すなわち、前記ＣＳＩ−ＲＳをスケジューリングするＤＣＩに対したデコード時間）に対した情報は、前記端末により、端末能力情報として前記基地局に報告されうる。
【０２７９】
また、上述したように、前記ＣＳＩ報告（例：ビーム管理及び／またはビーム報告用途として設定されたＣＳＩ報告、すなわち、Ｌ１−ＲＳＲＰ報告）のために占有されるＣＳＩ処理ユニットの数は、１に設定されることができる。
【０２８０】
これと関連して、具現的な側面において、上述した端末の動作は、本明細書の図１３及び図１４に示した端末装置１３２０、１４２０により具体的に具現されることができる。例えば、上述した端末の動作は、プロセッサ１３２１、１４２１及び／またはＲＦ（Ｒａｄｉｏ  Ｆｒｅｑｕｅｎｃｙ）ユニット（またはモジュール）１３２３、１４２５により行われうる。
【０２８１】
無線通信システムにおいてデータチャネル（例：ＰＤＳＣＨ）を受信する端末は、無線信号を送信するための送信部（ｔｒａｎｓｍｉｔｔｅｒ）、無線信号を受信するための受信部（ｒｅｃｅｉｖｅｒ）及び前記送信部及び受信部と機能的に接続されるプロセッサを含むことができる。ここで、前記送信部及び前記受信部（または送受信部）は、無線信号を送受信するためのＲＦユニット（またはモジュール）と称されうる。
【０２８２】
例えば、プロセッサは、ＣＳＩ報告をトリガーリングするＤＣＩを（基地局から）受信するようにＲＦユニットを制御できる。ここで、前記ＣＳＩ報告は、非周期的ＣＳＩ報告でありうる。
【０２８３】
また、前記ＣＳＩ報告は、ビーム管理及び／またはビーム報告用途のＣＳＩ報告でありうる。例えば、前記ＣＳＩ報告の報告情報は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）識別子及びＲＳＲＰ、または、ｉｉｉ）報告しない（ｎｏ  ｒｅｐｏｒｔ）のうち、いずれか一つでありうる。
【０２８４】
プロセッサは、（基地局から）前記ＣＳＩ報告のための（すなわち、前記ＣＳＩ報告のために設定及び／または指示された）少なくとも一つのＣＳＩ−ＲＳを受信するようにＲＦユニットを制御できる。例えば、前記ＣＳＩ−ＲＳは、上述した図９に示したように、前記ＣＳＩ報告をトリガーリングするＤＣＩ受信時点以後及び前記ＣＳＩ報告時点以前に受信されるＣＳＩ−ＲＳでありうる。
【０２８５】
プロセッサは、前記ＣＳＩ−ＲＳに基づいて算出されたＣＳＩを基地局に送信するようにＲＦユニットを制御できる。例えば、プロセッサは、前記ＣＳＩ−ＲＳに基づいて測定されたＬ１−ＲＳＲＰ報告を基地局に対して行うように制御できる。
【０２８６】
このとき、前記ＣＳＩ報告のための最小要求時間（例：上述した第２の実施形態の例示３）でのＺ値）は、ｉ）前記ＣＳＩ−ＲＳの最後の時点から前記ＣＳＩの送信時点までの最小要求時間（例：上述した第２の実施形態の例示３）でのＺ’値）及びｉｉ）前記ＣＳＩ−ＲＳをスケジューリングするＤＣＩに対したデコード時間上述した第２の実施形態の例示３）でのｍ値）に基づいて設定されることができる。例えば、前記ＣＳＩ報告のための最小要求時間は、ｉ）前記ＣＳＩ−ＲＳの最後の時点から前記ＣＳＩの送信時点までの最小要求時間とｉｉ）前記ＣＳＩ−ＲＳをトリガーリングするＤＣＩと前記ＣＳＩ−ＲＳの受信間の最小要求時間（すなわち、前記ＣＳＩ−ＲＳをスケジューリングするＤＣＩに対したデコード時間）の合計で設定されることができる（例：Ｚ＝Ｚ’＋ｍ）。
【０２８７】
また、上述したように、前記ＣＳＩ−ＲＳの最後の時点から前記ＣＳＩの送信時点までの最小要求時間に対する情報は、前記端末により、端末能力情報（ＵＥ  ｃａｐａｂｉｌｉｔｙ  ｉｎｆｏｒｍａｔｉｏｎ））として前記基地局に報告されうる。
【０２８８】
また、上述したように、前記ＣＳＩ−ＲＳは、非周期的（ａｐｅｒｉｏｄｉｃ）に送信されるように設定され、すなわち、非周期的ＣＳＩ−ＲＳであり、前記ＣＳＩ−ＲＳをスケジューリングするＤＣＩは、前記ＣＳＩ−ＲＳに対するトリガーリング（ｔｒｉｇｇｅｒｉｎｇ）ＤＣＩでありうる。このとき、前記ＣＳＩ−ＲＳをトリガーリングするＤＣＩと前記ＣＳＩ−ＲＳの受信間の最小要求時間（すなわち、前記ＣＳＩ−ＲＳをスケジューリングするＤＣＩに対したデコード時間）に対した情報は、前記端末により、端末能力情報として前記基地局に報告されうる。
【０２８９】
また、上述したように、前記ＣＳＩ報告（例：ビーム管理及び／またはビーム報告用途として設定されたＣＳＩ報告、すなわち、Ｌ１−ＲＳＲＰ報告）のために占有されるＣＳＩ処理ユニットの数は、１に設定されることができる。
【０２９０】
上述したように動作するにつれて、一般的なＣＳＩ報告とは異なり、ビーム管理及び／またはビーム報告用途として利用されるＬ１−ＲＳＲＰ報告の場合にも、効率的なＺ値設定及びＣＳＩ処理ユニット占有が行われうる。
【０２９１】
図１２は、本明細書の一部実施形態によるチャネル状態情報（Ｃｈａｎｎｅｌ  Ｓｔａｔｅ  Ｉｎｆｏｒｍａｔｉｏｎ）を受信する基地局の動作フローチャートの一例を示す。図１２は、ただ説明の便宜のためのものに過ぎず、本明細書の範囲を制限するものではない。
【０２９２】
図１２を参考すると、端末は、Ｌ１−ＲＳＲＰ報告を行うにおいて、上述した第２の実施形態において提案する例示を利用する場合が仮定される。特に、端末の能力情報として報告されるＺ値及び／またはＺ’値は、上述した第２の実施形態において提案する例示（例：第２の実施形態の例示３）等）に基づいて、決定及び／または設定されることができる。
【０２９３】
基地局は、ＣＳＩ報告をトリガーリングするＤＣＩを（端末に）送信できる（Ｓ１２０５）。ここで、前記ＣＳＩ報告は、非周期的ＣＳＩ報告でありうる。
【０２９４】
また、前記ＣＳＩ報告は、ビーム管理及び／またはビーム報告用途のＣＳＩ報告でありうる。例えば、前記ＣＳＩ報告の報告情報は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）識別子及びＲＳＲＰ、またはｉｉｉ）報告しない（ｎｏ  ｒｅｐｏｒｔ）のうち、いずれか一つでありうる。
【０２９５】
基地局は、（端末に）前記ＣＳＩ報告のための（すなわち、前記ＣＳＩ報告のために設定及び／または指示された）少なくとも一つのＣＳＩ−ＲＳを送信できる（Ｓ１２１０）。例えば、前記ＣＳＩ−ＲＳは、上述した図９に示したように、前記ステップＳ１２０５でのＤＣＩ以後及び前記ＣＳＩ報告時点以前に送信されるＣＳＩ−ＲＳでありうる。
【０２９６】
基地局は、前記ＣＳＩ−ＲＳに基づいて算出されたＣＳＩを前記端末から受信することができる（Ｓ１２１５）。例えば、端末は、前記ＣＳＩ−ＲＳに基づいて測定されたＬ１−ＲＳＲＰ報告を基地局に対して行うことができる。
【０２９７】
このとき、前記ＣＳＩ報告のための最小要求時間（例：上述した第２の実施形態の例示３）でのＺ値）は、ｉ）前記ＣＳＩ−ＲＳの最後の時点から前記ＣＳＩの送信時点までの最小要求時間（例：上述した第２の実施形態の例示３）でのＺ’値）及びｉｉ）前記ＣＳＩ−ＲＳをスケジューリングするＤＣＩに対したデコード時間上述した第２の実施形態の例示３）でのｍ値）に基づいて設定されることができる。例えば、前記ＣＳＩ報告のための最小要求時間は、ｉ）前記ＣＳＩ−ＲＳの最後の時点から前記ＣＳＩの送信時点までの最小要求時間とｉｉ）前記ＣＳＩ−ＲＳをトリガーリングするＤＣＩと前記ＣＳＩ−ＲＳの受信間の最小要求時間（すなわち、前記ＣＳＩ−ＲＳをスケジューリングするＤＣＩに対したデコード時間）の合計で設定されることができる（例：Ｚ＝Ｚ’＋ｍ）。
【０２９８】
また、上述したように、前記ＣＳＩ−ＲＳの最後の時点から前記ＣＳＩの送信時点までの最小要求時間に対する情報は、前記端末により、端末能力情報（ＵＥ  ｃａｐａｂｉｌｉｔｙ  ｉｎｆｏｒｍａｔｉｏｎ））として前記基地局に報告されうる。
【０２９９】
また、上述したように、前記ＣＳＩ−ＲＳは、非周期的（ａｐｅｒｉｏｄｉｃ）に送信されるように設定され、すなわち、非周期的ＣＳＩ−ＲＳであり、前記ＣＳＩ−ＲＳをスケジューリングするＤＣＩは、前記ＣＳＩ−ＲＳに対するトリガーリング（ｔｒｉｇｇｅｒｉｎｇ）ＤＣＩでありうる。このとき、前記ＣＳＩ−ＲＳをスケジューリングするＤＣＩに対したデコード時間に対する情報は、前記端末により、端末能力情報として前記基地局に報告されうる。
【０３００】
また、上述したように、前記ＣＳＩ報告（例：ビーム管理及び／またはビーム報告用途として設定されたＣＳＩ報告、すなわち、Ｌ１−ＲＳＲＰ報告）のために占有されるＣＳＩ処理ユニットの数は、１に設定されることができる。
【０３０１】
上述したように動作するにつれて、一般的なＣＳＩ報告とは異なり、ビーム管理及び／またはビーム報告用途として利用されるＬ１−ＲＳＲＰ報告の場合にも、効率的なＺ値設定及びＣＳＩ処理ユニット占有が行われうる。
【０３０２】
これと関連して、具現的な側面において、上述した基地局の動作は、本明細書の図１３及び図１４に示した基地局装置１３１０、１４１０により具体的に具現されることができる。例えば、上述した基地局の動作は、プロセッサ１３１１、１４１１及び／またはＲＦ（Ｒａｄｉｏ  Ｆｒｅｑｕｅｎｃｙ）ユニット（またはモジュール）１３１３、１４１５により行われうる。
【０３０３】
無線通信システムにおいてデータチャネル（例：ＰＤＳＣＨ）を送信する基地局は、無線信号を送信するための送信部（ｔｒａｎｓｍｉｔｔｅｒ）、無線信号を受信するための受信部（ｒｅｃｅｉｖｅｒ）及び前記送信部及び受信部と機能的に接続されるプロセッサを含むことができる。ここで、前記送信部及び前記受信部（または送受信部）は、無線信号を送受信するためのＲＦユニット（またはモジュール）と称されうる。
【０３０４】
例えば、プロセッサは、ＣＳＩ報告をトリガーリングするＤＣＩを（端末に）送信するようにＲＦユニットを制御できる。ここで、前記ＣＳＩ報告は、非周期的ＣＳＩ報告でありうる。
【０３０５】
また、前記ＣＳＩ報告は、ビーム管理及び／またはビーム報告用途のＣＳＩ報告でありうる。例えば、前記ＣＳＩ報告の報告情報は、ｉ）ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）、ｉｉ）ＳＳＢ（Ｓｙｎｃｈｒｏｎｉｚａｔｉｏｎ  Ｓｉｇｎａｌ  Ｂｌｏｃｋ）識別子及びＲＳＲＰ、またはｉｉｉ）報告しない（ｎｏ  ｒｅｐｏｒｔ）のうち、いずれか一つでありうる。
【０３０６】
プロセッサは、（端末に）前記ＣＳＩ報告のための（すなわち、前記ＣＳＩ報告のために設定及び／または指示された）少なくとも一つのＣＳＩ−ＲＳを送信するようにＲＦユニットを制御できる。例えば、前記ＣＳＩ−ＲＳは、上述した図９に示したように、前記ＣＳＩ報告をトリガーリングするＤＣＩ受信時点以後及び前記ＣＳＩ報告時点以前に送信されるＣＳＩ−ＲＳでありうる。
【０３０７】
プロセッサは、前記ＣＳＩ−ＲＳに基づいて算出されたＣＳＩを前記端末から受信するようにＲＦユニットを制御できる。例えば、端末は、前記ＣＳＩ−ＲＳに基づいて測定されたＬ１−ＲＳＲＰ報告を基地局に対して行うことができる。
【０３０８】
このとき、前記ＣＳＩ報告のための最小要求時間（例：上述した第２の実施形態の例示３）でのＺ値）は、ｉ）前記ＣＳＩ−ＲＳの最後の時点から前記ＣＳＩの送信時点までの最小要求時間（例：上述した第２の実施形態の例示３）でのＺ’値）及びｉｉ）前記ＣＳＩ−ＲＳをスケジューリングするＤＣＩに対したデコード時間上述した第２の実施形態のｄＰｔｌ３）でのｍ値）に基づいて設定されることができる。例えば、前記ＣＳＩ報告のための最小要求時間は、ｉ）前記ＣＳＩ−ＲＳの最後の時点から前記ＣＳＩの送信時点までの最小要求時間とｉｉ）前記ＣＳＩ−ＲＳをトリガーリングするＤＣＩと前記ＣＳＩ−ＲＳの受信間の最小要求時間（すなわち、前記ＣＳＩ−ＲＳをスケジューリングするＤＣＩに対したデコード時間）の合計に設定されることができる（例：Ｚ＝Ｚ’＋ｍ）。
【０３０９】
また、上述したように、前記ＣＳＩ−ＲＳの最後の時点から前記ＣＳＩの送信時点までの最小要求時間に対する情報は、前記端末により、端末能力情報（ＵＥ  ｃａｐａｂｉｌｉｔｙ  ｉｎｆｏｒｍａｔｉｏｎ））として前記基地局に報告されうる。
【０３１０】
また、上述したように、前記ＣＳＩ−ＲＳは、非周期的（ａｐｅｒｉｏｄｉｃ）に送信されるように設定され、すなわち、非周期的ＣＳＩ−ＲＳであり、前記ＣＳＩ−ＲＳをスケジューリングするＤＣＩは、前記ＣＳＩ−ＲＳに対するトリガーリング（ｔｒｉｇｇｅｒｉｎｇ）ＤＣＩでありうる。このとき、前記ＣＳＩ−ＲＳをスケジューリングするＤＣＩに対したデコード時間に対する情報は、前記端末により、端末能力情報として前記基地局に報告されうる。
【０３１１】
また、上述したように、前記ＣＳＩ報告（例：ビーム管理及び／またはビーム報告用途として設定されたＣＳＩ報告、すなわち、Ｌ１−ＲＳＲＰ報告）のために占有されるＣＳＩ処理ユニットの数は、１に設定されることができる。
【０３１２】
上述したように動作するにつれて、一般的なＣＳＩ報告とは異なり、ビーム管理及び／またはビーム報告用途として利用されるＬ１−ＲＳＲＰ報告の場合にも、効率的なＺ値設定及びＣＳＩ処理ユニット占有が行われうる。
【０３１３】
本発明が適用されることができる装置一般
【０３１４】
図１３は、本明細書の一部実施形態による無線通信装置を示す。
【０３１５】
図１３を参照すると、無線通信システムは、第１装置１３１０と第２装置１３２０を含むことができる。
【０３１６】
前記第１装置１３１０は、基地局、ネットワークノード、送信端末、受信端末、無線装置、無線通信装置、車両、自律走行機能を搭載した車両、コネクテッドカー（Ｃｏｎｎｅｃｔｅｄ  Ｃａｒ）、ドローン（Ｕｎｍａｎｎｅｄ  Ａｅｒｉａｌ  Ｖｅｈｉｃｌｅ、ＵＡＶ）、ＡＩ（Ａｒｔｉｆｉｃｉａｌ  Ｉｎｔｅｌｌｉｇｅｎｃｅ）モジュール、ロボット、ＡＲ（Ａｕｇｍｅｎｔｅｄ  Ｒｅａｌｉｔｙ）装置、ＶＲ（Ｖｉｒｔｕａｌ  Ｒｅａｌｉｔｙ）装置、ＭＲ（Ｍｉｘｅｄ  Ｒｅａｌｉｔｙ）装置、ホログラム装置、公共安全装置、ＭＴＣ装置、ＩｏＴ装置、医療装置、フィンテック装置（または金融装置）、セキュリティー装置、気候／環境装置、５Ｇサービスと関連した装置またはそれ以外の４次産業革命分野と関連した装置でありうる。
【０３１７】
前記第２装置１３２０は、基地局、ネットワークノード、送信端末、受信端末、無線装置、無線通信装置、車両、自律走行機能を搭載した車両、コネクテッドカー（Ｃｏｎｎｅｃｔｅｄ  Ｃａｒ）、ドローン（Ｕｎｍａｎｎｅｄ  Ａｅｒｉａｌ  Ｖｅｈｉｃｌｅ、ＵＡＶ）、ＡＩ（Ａｒｔｉｆｉｃｉａｌ  Ｉｎｔｅｌｌｉｇｅｎｃｅ）モジュール、ロボット、ＡＲ（Ａｕｇｍｅｎｔｅｄ  Ｒｅａｌｉｔｙ）装置、ＶＲ（Ｖｉｒｔｕａｌ  Ｒｅａｌｉｔｙ）装置、ＭＲ（Ｍｉｘｅｄ  Ｒｅａｌｉｔｙ）装置、ホログラム装置、公共安全装置、ＭＴＣ装置、ＩｏＴ装置、医療装置、フィンテック装置（または金融装置）、セキュリティー装置、気候／環境装置、５Ｇサービスと関連した装置またはそれ以外の４次産業革命分野と関連した装置でありうる。
【０３１８】
例えば、端末は、携帯電話、スマートフォン（ｓｍａｒｔ  ｐｈｏｎｅ）、ノート型パソコン（ｌａｐｔｏｐ  ｃｏｍｐｕｔｅｒ）、デジタル放送用端末機、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、スレートＰＣ（ｓｌａｔｅ  ＰＣ）、タブレットＰＣ（ｔａｂｌｅｔ  ＰＣ）、ウルトラブック（ｕｌｔｒａｂｏｏｋ）、ウェアラブルデバイス（ｗｅａｒａｂｌｅ  ｄｅｖｉｃｅ、例えば、ウォッチ型端末機（ｓｍａｒｔｗａｔｃｈ）、ガラス型端末機（ｓｍａｒｔ  ｇｌａｓｓ）、ＨＭＤ（ｈｅａｄ  ｍｏｕｎｔｅｄ  ｄｉｓｐｌａｙ））などを含むことができる。例えば、ＨＭＤは、頭に着用する形態のディスプレイ装置でありうる。例えば、ＨＭＤは、ＶＲ、ＡＲまたはＭＲを具現するために使用されることができる。
【０３１９】
例えば、ドローンは、人が乗らないで無線コントロール信号により飛行する飛行体でありうる。例えば、ＶＲ装置は、仮像世界の客体または背景などを具現する装置を含むことができる。例えば、ＡＲ装置は、現実世界の客体または背景などに仮像世界の客体または背景を接続して具現する装置を含むことができる。例えば、ＭＲ装置は、現実世界の客体または背景などに仮像世界の客体または背景を融合して具現する装置を含むことができる。例えば、ホログラム装置は、ホログラフィーという二つのレーザ光が会って発生する光の干渉現象を活用して、立体情報を記録及び再生して３６０度立体映像を具現する装置を含むことができる。例えば、公共安全装置は、映像中継装置またはユーザの人体に着用可能な映像装置などを含むことができる。例えば、ＭＴＣ装置及びＩｏＴ装置は、人の直接的な介入または操作を必要としない装置でありうる。例えば、ＭＴＣ装置及びＩｏＴ装置は、スマートメートル、ベンディングマシン、温度計、スマート電球、ドアロックまたは各種センサなどを含むことができる。例えば、医療装置は、疾病を診断、治療、軽減、処置または、予防する目的で使用される装置でありうる。例えば、医療装置は、傷害または障害を診断、治療、軽減または補正する目的で使用される装置でありうる。例えば、医療装置は、構造または機能を検査、代替または変形する目的で使用される装置でありうる。例えば、医療装置は、妊娠を調節する目的で使用される装置でありうる。例えば、医療装置は、診療用装置、手術用装置、（体外）診断用装置、補聴器または手術用装置などを含むことができる。例えば、セキュリティー装置は、発生する恐れがある危険を防止し、安全を維持するために設置した装置でありうる。例えば、セキュリティー装置は、カメラ、ＣＣＴＶ、録画機（ｒｅｃｏｒｄｅｒ）またはブラックボックスなどでありうる。例えば、フィンテック装置は、モバイル決済など金融サービスを提供できる装置でありうる。例えば、フィンテック装置は、決済装置またはＰＯＳ（Ｐｏｉｎｔ  ｏｆ  Ｓａｌｅｓ）などを含むことができる。例えば、気候／環境装置は、気候／環境をモニタリングまたは予測する装置を含むことができる。
【０３２０】
前記第１装置１３１０は、プロセッサ１３１１のような少なくとも一つ以上のプロセッサと、メモリ１３１２のような少なくとも一つ以上のメモリと、送受信機１３１３のような少なくとも一つ以上の送受信機を含むことができる。前記プロセッサ１３１１は、前述した機能、手順、及び／または方法を行うことができる。前記プロセッサ１３１１は、一つ以上のプロトコルを行うことができる。例えば、前記プロセッサ１３１１は、無線インターフェスプロトコルの一つ以上の階層を行うことができる。前記メモリ１３１２は、前記プロセッサ１３１１に接続され、多様な形態の情報及び／または命令を格納することができる。前記送受信機１３１３は、前記プロセッサ１３１１に接続され、無線シグナルを送受信するように制御されうる。
【０３２１】
前記第２装置１３２０は、プロセッサ１３２１のような少なくとも一つのプロセッサと、メモリ１３２２のような少なくとも一つ以上のメモリ装置と、送受信機１３２３のような少なくとも一つの送受信機を含むことができる。前記プロセッサ１３２１は、前述した機能、手順、及び／または方法を行うことができる。前記プロセッサ１３２１は、一つ以上のプロトコルを具現できる。例えば、前記プロセッサ１３２１は、無線インターフェスプロトコルの一つ以上の階層を具現できる。前記メモリ１３２２は、前記プロセッサ１３２１に接続され、多様な形態の情報及び／または命令を格納することができる。前記送受信機１３２３は、前記プロセッサ１３２１に接続され、無線シグナルを送受信するように制御されうる。
【０３２２】
前記メモリ１３１２及び／または前記メモリ１３２２は、前記プロセッサ１３１１及び／または前記プロセッサ１３２１の内部または外部でそれぞれ接続されても良く、有線または無線接続のように多様な技術により他のプロセッサに接続されても良い。
【０３２３】
前記第１装置１３１０及び／または前記第２装置１３２０は、一つ以上のアンテナを有することができる。例えば、アンテナ１３１４及び／またはアンテナ１３２４は、無線信号を送受信するように構成されることができる。
【０３２４】
図１４は、本明細書の一部実施形態による無線通信装置のブロック構成図のさらに他の例示である。
【０３２５】
図１４を参照すると、無線通信システムは、基地局１４１０と基地局領域内に位置した多数の端末１４２０を含む。基地局は、送信装置と、端末は、受信装置と表現されることができ、その反対も可能である。基地局と端末は、プロセッサ（ｐｒｏｃｅｓｓｏｒ）１４１１、１４２１、メモリ（ｍｅｍｏｒｙ）１４１４、１４２４、一つ以上のＴｘ／ＲｘＲＦモジュール（ｒａｄｉｏ  ｆｒｅｑｕｅｎｃｙ  ｍｏｄｕｌｅ）１４１５、１４２５、Ｔｘプロセッサ１４１２、１４２２、Ｒｘプロセッサ１４１３、１４２３、アンテナ１４１６、１４２６を含む。プロセッサは、先に述べた機能、過程及び／または方法を具現する。より具体的に、ＤＬ（基地局から端末への通信）で、コアネットワークからの上位階層パケットは、プロセッサ１４１１に提供される。プロセッサは、Ｌ２階層の機能を具現する。ＤＬにおいて、プロセッサは、論理チャネルと送信チャネルとの間の多重化（ｍｕｌｔｉｐｌｅｘｉｎｇ）、無線資源割り当てを端末１４２０に提供し、端末へのシグナリングを担当する。送信（ＴＸ）プロセッサ１４１２は、Ｌ１階層（すなわち、物理階層）に対した多様な信号処理機能を具現する。信号処理機能は、端末でＦＥＣ（ｆｏｒｗａｒｄ  ｅｒｒｏｒ  ｃｏｒｒｅｃｔｉｏｎ）を容易にし、コーディング及びインターリビング（ｃｏｄｉｎｇ  ａｎｄ  ｉｎｔｅｒｌｅａｖｉｎｇ）を含む。符号化及び変調されたシンボルは、並列ストリームに分割され、各々のストリームは、ＯＦＤＭ副搬送波にマッピングされ、時間及び／または周波数領域で基準信号（Ｒｅｆｅｒｅｎｃｅ  Ｓｉｇｎａｌ、ＲＳ）とマルチプレクスされ、ＩＦＦＴ（Ｉｎｖｅｒｓｅ  Ｆａｓｔ  Ｆｏｕｒｉｅｒ  Ｔｒａｎｓｆｏｒｍ）を使用して共に結合されて、時間領域ＯＦＤＭＡシンボルストリームを運搬する物理的チャネルを生成する。ＯＦＤＭストリームは、多重空間ストリームを生成するために空間的にプリコーディングされる。各々の空間ストリームは、個別Ｔｘ／Ｒｘモジュール（または、送受信機）１４１５を介して相異なったアンテナ１４１６に提供されることができる。各々のＴｘ／Ｒｘモジュールは、送信のために各々の空間ストリームでＲＦ搬送波を変調できる。端末において、各々のＴｘ／Ｒｘモジュール（または送受信機）１４２５は、各Ｔｘ／Ｒｘモジュールの各アンテナ１４２６を介して信号を受信する。各々のＴｘ／Ｒｘモジュールは、ＲＦキャリヤで変調された情報を復元して、受信（ＲＸ）プロセッサ１４２３に提供する。ＲＸプロセッサは、ｌａｙｅｒ１の多様な信号プロセシング機能を具現する。ＲＸプロセッサは、端末へ向かう任意の空間ストリームを復旧するために情報に空間プロセシングを行うことができる。仮に多数の空間ストリームが端末へ向かう場合、多数のＲＸプロセッサにより単一ＯＦＤＭＡシンボルストリームに結合されることができる。ＲＸプロセッサは、高速フーリエ変換（ＦＦＴ）を使用してＯＦＤＭＡシンボルストリームを時間領域から周波数領域へ変換する。周波数領域信号は、ＯＦＤＭ信号の各々のサブキャリアに対する個別的なＯＦＤＭＡシンボルストリームを含む。各々のサブキャリア上のシンボル及び基準信号は、基地局により送信された最も可能性のある信号���置ポイントを決定することで復元され復調される。このような軟判定（ｓｏｆｔ  ｄｅｃｉｓｉｏｎ）は、チャネル推定値に基づくことができる。軟判定は、物理チャネル上において基地局により本来送信されたデータ及び制御信号を復元するために、デコード及びデインタリービングされる。該当データ及び制御信号は、プロセッサ１４２１に提供される。
【０３２６】
ＵＬ（端末から基地局への通信）は、端末１４２０で受信機機能と関連して述べたものと類似の方式で基地局１４１０で処理される。各々のＴｘ／Ｒｘモジュール１４２５は、各々のアンテナ１４２６を介して信号を受信する。各々のＴｘ／Ｒｘモジュールは、ＲＦ搬送波及び情報をＲＸプロセッサ１４２３に提供する。プロセッサ１４２１は、プログラムコード及びデータを格納するメモリ１４２４と関連することができる。メモリは、コンピュータ読み取り可能媒体として称されうる。
【０３２７】
本明細書における無線装置は、基地局、ネットワークノード、送信端末、受信端末、無線装置、無線通信装置、車両、自律走行機能を搭載した車両、ドローン（Ｕｎｍａｎｎｅｄ  Ａｅｒｉａｌ  Ｖｅｈｉｃｌｅ、ＵＡＶ）、ＡＩ（Ａｒｔｉｆｉｃｉａｌ  Ｉｎｔｅｌｌｉｇｅｎｃｅ）モジュール、ロボット、ＡＲ（Ａｕｇｍｅｎｔｅｄ  Ｒｅａｌｉｔｙ）装置、ＶＲ（Ｖｉｒｔｕａｌ  Ｒｅａｌｉｔｙ）装置、ＭＴＣ装置、ＩｏＴ装置、医療装置、フィンテック装置（または金融装置）、セキュリティー装置、気候／環境装置またはそれ以外の４次産業革命分野または５Ｇサービスと関連した装置などでありうる。例えば、ドローンは、人が乗らないで無線コントロール信号により飛行する飛行体でありうる。例えば、ＭＴＣ装置及びＩｏＴ装置は、人の直接的な介入または操作を必要としない装置であって、スマートメートル、ベンディングマシン、温度計、スマート電球、ドアロック、各種センサなどでありうる。例えば、医療装置は、疾病を診断、治療、軽減、処置または予防する目的で使用される装置、構造または機能を検査、代替、または変形する目的で使用される装置であって、診療用装備、手術用装置、（体外）診断用装置、補聴器、手術用装置などでありうる。例えば、セキュリティー装置は、発生する恐れがある危険を防止し、安全を維持するために設置した装置であって、カメラ、ＣＣＴＶ、ブラックボックスなどでありうる。例えば、フィンテック装置は、モバイル決済など金融サービスを提供できる装置であって、決済装置、ＰＯＳ（Ｐｏｉｎｔ  ｏｆ  Ｓａｌｅｓ）などでありうる。例えば、気候／環境装置は、気候／環境をモニタリング、予測する装置を意味できる。
【０３２８】
本明細書における端末は、携帯電話、スマートフォン（ｓｍａｒｔ  ｐｈｏｎｅ）、ノート型パソコン（ｌａｐｔｏｐ  ｃｏｍｐｕｔｅｒ）、デジタル放送用端末機、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、スレートパソコン（ｓｌａｔｅ  ＰＣ）、タブレットＰＣ（ｔａｂｌｅｔ  ＰＣ）、ウルトラブック（ｕｌｔｒａｂｏｏｋ）、ウェアラブルデバイス（ｗｅａｒａｂｌｅ  ｄｅｖｉｃｅ、例えば、ウォッチ型端末機（ｓｍａｒｔｗａｔｃｈ）、ガラス型端末機（ｓｍａｒｔ  ｇｌａｓｓ）、ＨＭＤ（ｈｅａｄ  ｍｏｕｎｔｅｄ  ｄｉｓｐｌａｙ））、折り畳み式（ｆｏｌｄａｂｌｅ）デバイスなどを含むことができる。例えば、ＨＭＤは、頭に着用する形態のディスプレイ装置でで（から）、ＶＲまたは、ＡＲを具現するために使用されることができる。
【０３２９】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０３３０】
本発明に従う実施形態は、多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラー、マイクロプロセッサなどにより具現できる。
【０３３１】
ファームウエアやソフトウェアによる具現の場合、本発明の一実施形態は以上で説明された機能または動作を遂行するモジュール、手続、関数などの形態に具現できる。ソフトウェアコードはメモリに貯蔵されてプロセッサにより駆動できる。前記メモリは前記プロセッサの内部または外部に位置し、既に公知された多様な手段により前記プロセッサとデータをやり取りすることができる。
【０３３２】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０３３３】
本発明の無線通信システムにおいてチャネル状態情報を送受信する方案は、３ＧＰＰ  ＬＴＥ／ＬＴＥ−Ａシステム、５Ｇシステム（Ｎｅｗ  ＲＡＴシステム）に適用される例を中心に説明したが、その他にも多様な無線通信システムに適用することが可能である。
【図１】
2020532922.tif 000056
【図２】
2020532922.tif 000057
【図３】
2020532922.tif 000058
【図４】
2020532922.tif 000059
【図５】
2020532922.tif 000060
【図６】
2020532922.tif 000061
【図７】
2020532922.tif 000062
【図８】
2020532922.tif 000063
【図９】
2020532922.tif 000064
【図１０】
2020532922.tif 000065
【図１１】
2020532922.tif 000066
【図１２】
2020532922.tif 000067
【図１３】
2020532922.tif 000068
【図１４】
2020532922.tif 000069
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
無線通信システムにおける端末がチャネル状態情報（ｃｈａｎｎｅｌ  ｓｔａｔｅ  ｉｎｆｏｒｍａｔｉｏｎ:ＣＳＩ）報告を行う方法であって、
前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を受信するステップと、
前記ＣＳＩ報告のためのＣＳＩ−ＲＳ（ＣＳＩ−Ｒｅｆｅｒｅｎｃｅ  ｓｉｇｎａｌ）を受信するステップと、
前記ＣＳＩ−ＲＳに基づいて決定されたＣＳＩ報告を基地局に送信するステップを含み、
前記ＣＳＩ報告は、前記ＤＣＩを受信後少なくとも最小要求時間で送信され、
前記ＣＳＩ報告のための最小要求時間は、ｉ）前記ＣＳＩ−ＲＳの最後の時点と前記ＣＳＩ報告の送信時点の間の時間区間に関連する第１タイミングパラメータ、及びｉｉ）ＤＣＩトリガーリングのタイミングと前記ＣＳＩ−ＲＳのタイミングの間の時間区間に関連する第２タイミングパラメータに基づいて設定され、
前記第１タイミングパラメータと前記第２タイミングパラメータに関する情報を端末（ＵＥ）能力情報として前記基地局へ報告するステップをさらに含む、方法。
【請求項２】
前記ＣＳＩ報告は、ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）を含む報告情報に基づく、請求項１に記載の方法。
【請求項３】
前記ＣＳＩ報告のための最小要求時間は、前記第１タイミングパラメータと前記第２タイミングパラメータの合計として設定される、請求項２に記載の方法。
【請求項４】
前記ＣＳＩ−ＲＳは、非周期的（ａｐｅｒｉｏｄｉｃ）ＣＳＩ−ＲＳに設定される、請求項３に記載の方法。
【請求項５】
前記ＣＳＩ報告を実行するために利用される処理ユニットの数は、１である、請求項２に記載の方法。
【請求項６】
前記第１タイミングパラメータに対して、前記ＣＳＩ報告の送信タイミングは、前記ＣＳＩ報告を含むＰＵＳＣＨ（Ｐｈｙｓｉｃａｌ  Ｕｐｌｉｎｋ  Ｓｈａｒｅｄ  Ｃｈａｎｎｅｌ）の開始シンボルに対応する、請求項１に記載の方法。
【請求項７】
（ｉ）前記第１タイミングパラメータは、前記ＣＳＩ−ＲＳの最後のタイミングと前記ＣＳＩ報告の送信タイミングの間の最小要求時間に対するＵＥ能力を示し、
（ｉｉ）前記第２タイミングパラメータは、前記ＤＣＩトリガーリングのタイミングと前記ＣＳＩ−ＲＳのタイミングの間の最小要求時間に対する前記ＵＥ能力を示す、請求項１に記載の方法。
【請求項８】
前記第２タイミングパラメータは、前記ＣＳＩ−ＲＳの受信ビームにスイッチする時間区間に関連する、請求項１に記載の方法。
【請求項９】
無線通信システムにおけるチャネル状態情報（ｃｈａｎｎｅｌ  ｓｔａｔｅ  ｉｎｆｏｒｍａｔｉｏｎ:ＣＳＩ）報告を行う端末であって、
ＲＦ（Ｒａｄｉｏ  Ｆｒｅｑｕｅｎｃｙ）ユニットと、
少なくとも一つのプロセッサと、
前記少なくとも一つのプロセッサと機能的に接続されている少なくとも一つのメモリとを含み、
前記メモリは、前記少なくとも一つのプロセッサにより実行される時、
前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を受信し、
前記ＣＳＩ報告のためのＣＳＩ−ＲＳを受信し、
前記ＲＦユニットを介して、前記ＣＳＩ−ＲＳに基づいて決定されたＣＳＩ報告を基地局に送信する動作を行う命令を格納し、
前記ＣＳＩ報告は、前記ＤＣＩを受信した後、少なくとも最小要求時間で送信され、
前記ＣＳＩ報告のための最小要求時間は、ｉ）前記ＣＳＩ−ＲＳの最後の時点と前記ＣＳＩ報告の送信時点との間の時間区間に関連する第１タイミングパラメータ、及びｉｉ）ＤＣＩトリガーリングのタイミングと前記ＣＳＩ−ＲＳのタイミングの間の時間区間に関連する第２タイミングパラメータに基づいて設定され、
前記動作は、前記第１タイミングパラメータと前記第２タイミングパラメータに関する情報を端末（ＵＥ）能力情報として前記基地局へ報告することをさらに含む、端末。
【請求項１０】
前記ＣＳＩ報告は、ＣＲＩ（ＣＳＩ−ＲＳ  Ｒｅｓｏｕｒｃｅ  Ｉｎｄｉｃａｔｏｒ）及びＲＳＲＰ（Ｒｅｆｅｒｅｎｃｅ  Ｓｉｇｎａｌ  Ｒｅｃｅｉｖｅｄ  Ｐｏｗｅｒ）を含む報告情報に基づく、請求項９に記載の端末。
【請求項１１】
前記ＣＳＩ報告のための最小要求時間は、前記第１タイミングパラメータと前記第２タイミングパラメータの合計で設定される、請求項１０に記載の端末。
【請求項１２】
前記ＣＳＩ−ＲＳは、非周期的（ａｐｅｒｉｏｄｉｃ）ＣＳＩ−ＲＳに設定される、
請求項１１に記載の端末。
【請求項１３】
前記ＣＳＩ報告を実行するために前記端末により利用される処理ユニット（ｐｒｏｃｅｓｓｉｎｇ  ｕｎｉｔ）の数は、１である、請求項１０に記載の端末。
【請求項１４】
前記第１タイミングパラメータに対して、前記ＣＳＩ報告の送信タイミングは、前記ＣＳＩ報告を含むＰＵＳＣＨ（Ｐｈｙｓｉｃａｌ  Ｕｐｌｉｎｋ  Ｓｈａｒｅｄ  Ｃｈａｎｎｅｌ）の開始シンボルに対応する、請求項９に記載の端末。
【請求項１５】
（ｉ）前記第１タイミングパラメータは、前記ＣＳＩ−ＲＳの最後のタイミングと前記ＣＳＩ報告の送信タイミングの間の最小要求時間に対するＵＥ能力を示し、
（ｉｉ）前記第２タイミングパラメータは、前記ＤＣＩトリガーリングのタイミングと前記ＣＳＩ−ＲＳのタイミングの間の最小要求時間に対する前記ＵＥ能力を示す、請求項９に記載の端末。
【請求項１６】
前記第２タイミングパラメータは、前記ＣＳＩ−ＲＳの受信ビームにスイッチする時間区間に関連する、請求項９に記載の端末。
【請求項１７】
無線通信システムにおけるチャネル状態情報（ｃｈａｎｎｅｌ  ｓｔａｔｅ  ｉｎｆｏｒｍａｔｉｏｎ:ＣＳＩ）報告を受信する基地局であって、
ＲＦ（Ｒａｄｉｏ  Ｆｒｅｑｕｅｎｃｙ）ユニットと、
少なくとも一つのプロセッサと、
前記少なくとも一つのプロセッサと機能的に接続されている少なくとも一つのメモリとを含み、
前記メモリは、前記少なくとも一つのプロセッサにより行われる時、
前記ＲＦユニットを介して、前記ＣＳＩ報告をトリガーリングするダウンリンク制御情報（ｄｏｗｎｌｉｎｋ  ｃｏｎｔｒｏｌ  ｉｎｆｏｒｍａｔｉｏｎ、ＤＣＩ）を端末へ送信し、
前記ＲＦユニットを介して、前記ＣＳＩ報告のためのＣＳＩ−ＲＳを前記端末へ送信し、
前記ＲＦユニットを介して、前記ＣＳＩ−ＲＳに基づいて決定されたＣＳＩ報告を端末から受信する動作を行う命令を格納し、
前記ＣＳＩ報告は、前記端末が前記ＤＣＩを受信した後に最小要求時間で前記端末により送信され、
前記ＣＳＩ報告のための前記最小要求時間は、ｉ）前記ＣＳＩ−ＲＳの最後の時点と前記ＣＳＩ報告の送信時点との間の時間区間(time duration)に関連する第１タイミングパラメータ、及びｉｉ）ＤＣＩトリガーリングのタイミングと前記ＣＳＩ−ＲＳのタイミングの間のタイミング期間に関連する第２タイミングパラメータに基づいて設定され、
前記動作は、前記第１タイミングパラメータと前記第２タイミングパラメータに関する情報を端末（ＵＥ）能力情報として前記端末から受信することをさらに含む、基地局。
【国際調査報告】
2020532922.tif 000070
2020532922.tif 000071
2020532922.tif 000072